(57)【要約】本発明は、インタラクティブ方式のテレビアプリケーションを使用して、デジタルコンテンツを抽出するための方法とシステムに関する。前記インタラクティブ方式のテレビアプリケーションにより、前記ユーザーはセットトップボックスに番組を記録できる。また、前記インタラクティブ方式のテレビアプリケーションにより、前記ユーザーは、記録した番組からオーディオを抽出して、抽出した前記オーディオを取り外し可能な媒体（例えば、ＣＤ−Ｒなど）に転送することもできる。また、前記インタラクティブ方式のテレビアプリケーションは、取り外し可能な媒体へのデジタルコンテンツの今後の転送を実施するように設定される。前記今後の転送は、ユーザーとの対話をこれ以上必要とせずに発生する場合がある。
2007506306.tif 000002
【特許請求の範囲】
【請求項１】
インタラクティブ方式のテレビアプリケーションを用いてオーディオコンテンツを提供する方法であって、
ユーザーがセットトップボックスでプログラムを記録することを可能にすることと、
該ユーザーがプログラムを選択することを可能にすることであって、該プログラムは、完全な記録または不完全な記録である、ことと、
該ユーザーがオーディオを抽出する設定を選択することを可能にすることと、
該ユーザーが該選択した設定を用いて、該選択したプログラムの記録からオーディオを抽出することを可能にすることと
を包含する、方法。
【請求項２】
前記ユーザーがオーディオを抽出する設定を選択することを可能にすることが、該ユーザーが、抽出する該オーディオのセグメントを選択することを可能にすることを包含する、請求項１に記載の方法。
【請求項３】
前記抽出するオーディオのセグメントを示す再生バー上で前記ユーザーが開始と終了のマーカーを位置付けすることを可能にすることをさらに包含する、請求項２に記載の方法。
【請求項４】
前記再生バーの上にマーカーを表示することをさらに包含し、該マーカーは、前記選択されたプログラムにおけるオーディオが再生される位置を示す、請求項２に記載の方法。
【請求項５】
前記ユーザーが抽出するオーディオの設定を選択することを可能にすることが、該抽出されるオーディオの保存のために該ユーザーが取り外し可能な媒体を選択することを可能にすることを包含する、請求項１に記載の方法。
【請求項６】
前記抽出したオーディオを前記取り外し可能な媒体へ転送することをさらに包含する、請求項５に記載の方法。
【請求項７】
前記ユーザーがオーディオを抽出するための設定を選択することを可能にすることが、該ユーザーが、該抽出されるオーディオのフォーマットと品質を選択することを可能にすることを包含する、請求項１に記載の方法。
【請求項８】
前記ユーザーがオーディオを抽出することを可能にすることが、該選択したプログラムのオーディオ情報とビデオ情報を分離することを包含する、請求項１に記載の方法。
【請求項９】
前記選択した設定を用いて、前記選択したプログラムの前記オーディオ情報を処理することをさらに包含する、請求項８に記載の方法。
【請求項１０】
前記抽出したオーディオに前記選択したプログラムの情報を補完することをさらに包含する、請求項１に記載の方法。
【請求項１１】
前記情報がプログラムスケジュールのデータベースから検索される、請求項１０に記載の方法。
【請求項１２】
前記不完全な記録のオーディオが前記記録の完了後に抽出される、請求項１に記載の方法。
【請求項１３】
インタラクティブ方式のテレビアプリケーションを用いてオーディオコンテンツを提供するシステムであって、
ユーザーがセットトップボックスでプログラムを記録することを可能にするための手段と、
該ユーザーがプログラムを選択することを可能にするための手段であって、該プログラムは完全な記録または不完全な記録である、手段と、
該ユーザーがオーディオを抽出するための設定を選択することを可能にするための手段と、
該ユーザーが、該選択した設定を用いて該選択したプログラムの記録からオーディオを抽出することを可能にするための手段と
を備える、システム。
【請求項１４】
前記ユーザーがオーディオを抽出するための設定を選択することを可能にするための手段が、該ユーザーが、抽出するオーディオのセグメントを選択することを可能にするための手段を備える、請求項１３に記載のシステム。
【請求項１５】
前記抽出するオーディオのセグメントを示すために、前記ユーザーが、再生バーの上に開始および終了マーカーを位置付けすることを可能にするための手段をさらに備える、請求項１４に記載のシステム。
【請求項１６】
前記再生バーの上にマーカーを表示するための手段をさらに備え、該マーカーは、前記選択されたプログラムにおけるオーディが再生される位置を示す、請求項１４に記載のシステム。
【請求項１７】
前記ユーザーがオーディオを抽出するための設定を選択することを可能にするための手段が、該ユーザーが、該抽出したオーディオの保存のための取り外し可能な媒体を選択することを可能にするための手段を備える、請求項１３に記載のシステム。
【請求項１８】
前記抽出したオーディオを前記取り外し可能な媒体へ転送するための手段をさらに備える、請求項１７に記載のシステム。
【請求項１９】
前記ユーザーがオーディオを抽出するための設定を選択することを可能にするための手段が、該ユーザーが、該抽出したオーディオのフォーマットと品質を選択することを可能にするための手段を備える、請求項１３に記載のシステム。
【請求項２０】
前記ユーザーがオーディオを抽出することを可能にするための手段が、前期選択したプログラムのオーディオ情報とビデオ情報を分離するための手段を備える、請求項１３に記載のシステム。
【請求項２１】
前記選択した設定を用いて、前記選択したプログラムのオーディオ情報を処理するための手段をさらに備える、請求項２０に記載のシステム。
【請求項２２】
前記抽出したオーディオに前記選択したプログラムの情報を補完するための手段をさらに備える、請求項１３に記載のシステム。
【請求項２３】
前記情報がプログラムスケジュールのデータベースから検索される、請求項２２に記載のシステム。
【請求項２４】
前記不完全な記録のオーディオが前記記録の完了後に抽出される、請求項１３に記載のシステム。
【請求項２５】
オーディオコンテンツを提供するためのシステムであって、
ユーザー入力インターフェイスと、
表示装置と、
制御回路上に少なくとも部分的に実装されるインタラクティブ方式のテレビアプリケーションであって、該制御回路は、
ユーザーがセットトップボックスにプログラムを記録することを可能にし、
該ユーザーが、完全な記録または不完全な記録であるプログラムを選択することを可能にし、
該ユーザーが、オーディオを抽出するための設定を選択することを可能にし、
該ユーザーが、該選択した設定を用いて該選択したプログラムの記録からオーディオを抽出することを可能にするように構成されている、アプリケーションと
を備える、システム。
【請求項２６】
前記制御回路が、前記ユーザーが、抽出するオーディオのセグメントを選択することを可能にするようにさらに構成されている、請求項２５に記載のシステム。
【請求項２７】
前記制御回路が、前記ユーザーが、前記抽出するオーディオのセグメントを示すために、再生バーの上に開始および終了マーカーを位置付けすることを可能にするようにさらに構成されている、請求項２６に記載のシステム。
【請求項２８】
前記制御回路が、前記表示装置に前記再生バー上でマーカーを表示させる命令をするようにさらに構成され、該マーカーは、前記選択されたプログラムにおけるオーディオが再生される位置を示す、請求項２６に記載のシステム。
【請求項２９】
前記制御回路が、前記ユーザーが、前記抽出したオーディオの保存のための取り外し可能な媒体を選択することを可能にするようにさらに構成されている、請求項２５に記載のシステム。
【請求項３０】
前記制御回路が、前記抽出したオーディオを前記取り外し可能な媒体に転送するようにさらに構成されている、請求項２９に記載のシステム。
【請求項３１】
前記制御回路が、前記ユーザーが、前記抽出したオーディオのフォーマットと品質を選択することを可能にするようにさらに構成されている、請求項２５に記載のシステム。
【請求項３２】
前記制御回路が、前記選択したプログラムのオーディオ情報とビデオ情報を分離するようにさらに構成されている、請求項２５に記載のシステム。
【請求項３３】
前記制御回路が、前記選択した設定を用いて前記選択したプログラムのオーディオ情報を処理するようにさらに構成されている、請求項３２に記載のシステム。
【請求項３４】
前記制御回路が、前記抽出したオーディオに前記選択したプログラムの情報を補完するようにさらに構成されている、請求項２５に記載のシステム。
【請求項３５】
前記情報がプログラムスケジュールのデータベースから検索される、請求項３４に記載のシステム。
【請求項３６】
前記不完全な記録のオーディオが前記記録の完了後に抽出される、請求項２５に記載のシステム。
【請求項３７】
インタラクティブ方式テレビアプリケーションを用いてオーディオコンテンツを提供するための機械読取り可能な媒体であって、
ユーザーがセットトップボックスにプログラムを記録することを可能にし、
該ユーザーが、完全な記録あるいは不完全な記録であるプログラムを選択することを可能にし、
該ユーザーが、オーディオを抽出するための設定を選択することを可能にし、
該ユーザーが、該選択した設定を用いて該選択したプログラムの記録からオーディオを抽出することを可能にするための、該機械読取り可能な媒体に記録された機械読取り可能な命令を備える、機械読取り可能な媒体。
【請求項３８】
前記ユーザーがオーディオを抽出するための設定を選択することを可能にすることが、該ユーザーが、抽出するオーディオのセグメントを選択することを可能にすることを包含する、請求項３７に記載の機械読取り可能な媒体。
【請求項３９】
前記抽出するオーディオのセグメントを示すために、前記ユーザーが、再生バーの上に開始および終了マーカーを位置付けすることを可能にするための前記機械読取り可能な媒体に記録された機械読取り可能な命令をさらに備える、請求項３８に記載の機械読取り可能な媒体。
【請求項４０】
前記再生バーの上にマーカーを表示するための、前記機械読取り可能な媒体に記録された機械読取り可能な命令をさらに備え、該マーカーは、前記選択されたプログラムにおけるオーディオが再生される位置を示す、請求項３８に記載の機械読取り可能な媒体。
【請求項４１】
前記ユーザーがオーディオを抽出するための設定を選択することを可能にすることが、該ユーザーが、該抽出されるオーディオの保存のための取り外し可能な媒体を選択することを可能にすることを包含する、請求項３７に記載の機械読取り可能な媒体。
【請求項４２】
前記抽出したオーディオを前記取り外し可能な媒体へ転送するための、前記機械読取り可能な媒体に記録された機械読取り可能な命令をさらに備える、請求項４１に記載の機械読取り可能な媒体。
【請求項４３】
前記ユーザーがオーディオを抽出するための設定を選択することを可能にすることが、該ユーザーが、該抽出したオーディオのフォーマットと品質を選択することを可能にすることを包含する、請求項３７に記載の機械読取り可能な媒体。
【請求項４４】
前記ユーザーがオーディオを抽出することを可能にすることが、前記選択したプログラムのオーディオ情報とビデオ情報を分離することを包含する、請求項３７に記載の機械読取り可能な媒体。
【請求項４５】
前記選択した設定を用いて、前記選択したプログラムのオーディオ情報を処理するための、前記機械読取り可能な媒体に記録された機械読取り可能な命令をさらに備える、請求項４４に記載の機械読取り可能な媒体。
【請求項４６】
前記抽出したオーディオに前記選択したプログラムの情報を補完するための、前記機械読取り可能な媒体に記録された機械読取り可能な命令をさらに備える、請求項３７に記載の機械読取り可能な媒体。
【請求項４７】
前記情報がプログラムスケジュールのデータベースから検索される、請求項４６に記載の機械読取り可能な媒体。
【請求項４８】
前記不完全な記録のオーディオが前記記録の完了後に抽出される、請求項３７に記載の機械読取り可能な媒体。
【請求項４９】
ユーザーによって記録されたデジタルコンテンツを取り外し可能な媒体へ転送するための方法であって、
該ユーザーが、デジタルコンテンツを該取り外し可能な媒体へ今後転送するように設定することを可能にすることであって、該ユーザーは、転送されるデジタルコンテンツを選択する、ことと、
該取り外し可能な媒体との通信を確立することと、
設定後、該ユーザーとのさらなる対話を必要とせずに、該デジタルコンテンツを該取り外し可能な媒体へ転送することと
を包含する、方法。
【請求項５０】
前記ユーザーがデジタルコンテンツを取り外し可能な媒体への転送を今後実施するように設定することを可能にすることが、該ユーザーが、該デジタルコンテンツを該取り外し可能な媒体へ転送するための設定を選択することを可能にすることを包含する、請求項４９に記載の方法。
【請求項５１】
前記取り外し可能な媒体が有効な転送先であるかどうかを決定することをさらに包含し、該決定することは、設定後のさらなるユーザー入力を必要とせずに実行される、請求項４９に記載の方法。
【請求項５２】
前記デジタルコンテンツが表示されているか否かに関する情報が前記取り外し可能な媒体に保存される、請求項４９に記載の方法。
【請求項５３】
前記デジタルコンテンツへの参照をデータベースに保存することと、
前記取り外し可能な媒体との通信を確立後、前記データベースから該デジタルコンテンツへの該参照を検索することであって、該参照は設定後のユーザーとのさらなる対話を必要とせずに検索される、ことと
をさらに包含する、請求項４９に記載の方法。
【請求項５４】
前記取り外し可能な媒体に保存された設定ファイルに前記デジタルコンテンツへの参照を保存することと、
前記取り外し可能な媒体との通信を確立後、前記設定ファイルから前記デジタルコンテンツへの前記参照を検索することであって、前記参照は、設定後のユーザー入力を必要とせずに検索されることと
をさらに包含する、請求項４９に記載の方法。
【請求項５５】
前記デジタルコンテンツを取り外し可能な媒体へ転送することが、
該デジタルコンテンツからオーディオを抽出することと、
該デジタルコンテンツの該オーディオを該取り外し可能な媒体へ転送することと
を包含する、請求項４９に記載の方法。
【請求項５６】
ユーザーによって記録されたデジタルコンテンツを取り外し可能な媒体へ転送するためのシステムであって、
該ユーザーがデジタルコンテンツを該取り外し可能な媒体へ今後転送するように設定することを可能にするための手段であって、該ユーザーは、転送されるデジタルコンテンツを選択する、手段と、
該取り外し可能な媒体との通信を確立するための手段と、
設定後、該ユーザーとのさらなる対話を必要とせずに、該デジタルコンテンツを該取り外し可能な媒体へ転送するための手段と
を備える、システム。
【請求項５７】
前記ユーザーがデジタルコンテンツを取り外し可能な媒体へ今後転送するように設定することを可能にするための手段が、該ユーザーが、該デジタルコンテンツを該取り外し可能な媒体へ転送するための設定を選択することを可能にするための手段を備える、請求項５６に記載のシステム。
【請求項５８】
前記取り外し可能な媒体が有効な転送先であるか否かを決定するための手段をさらに備え、該決定は、設定後のさらなるユーザー入力を必要とせずに実行される、請求項５６に記載のシステム。
【請求項５９】
デジタルコンテンツが表示されているか否かに関する情報が前記取り外し可能な媒体に保存される、請求項５６に記載のシステム。
【請求項６０】
前記デジタルコンテンツへの参照をデータベースに保存するための手段と、
前記取り外し可能な媒体との通信を確立後、該データベースから該デジタルコンテンツへの該参照を検索するための手段であって、該参照は設定後のユーザーとのさらなる対話を必要とせずに検索される、手段と
をさらに備える、請求項５６に記載のシステム。
【請求項６１】
前記取り外し可能な媒体に保存された設定ファイルに前記デジタルコンテンツへの参照を保存するための手段と、
該取り外し可能な媒体との通信を確立後、該設定ファイルから該デジタルコンテンツへの該参照を検索するための手段であって、該参照は、設定後のユーザーとのさらなる対話を必要とせずに検索される、手段と
をさらに備える、請求項５６に記載のシステム。
【請求項６２】
前記デジタルコンテンツを取り外し可能な媒体へ転送するための手段が、
該デジタルコンテンツからオーディオを抽出するための手段と、
該デジタルコンテンツの該オーディオを該取り外し可能な媒体へ転送するための手段と
を備える、請求項５６に記載のシステム。
【請求項６３】
ユーザーによって記録されたデジタルコンテンツを取り外し可能な媒体へ転送するためのシステムであって、
ユーザー入力インターフェイスと、
表示装置と、
制御回路に少なくとも部分的に実装されたインタラクティブ方式のテレビアプリケーションであって、該制御回路は、
該ユーザーがデジタルコンテンツを該取り外し可能な媒体へ今後転送するように設定することであって、該ユーザーは転送されるデジタルコンテンツを選択する、ことを可能にし、
該取り外し可能な媒体との通信を確立し、
設定後、該ユーザーとのさらなる対話を必要とせずに、該デジタルコンテンツを該取り外し可能な媒体へ転送するように構成されている、アプリケーションと
を備える、システム。
【請求項６４】
前記制御回路が、前記ユーザーが前記デジタルコンテンツを前記取り外し可能な媒体へ転送するための設定を選択することを可能にするようにさらに構成されている、請求項６３に記載のシステム。
【請求項６５】
前記制御回路が、前記取り外し可能な媒体が有効な転送先であるか否かを決定するさらに構成され、該決定は、設定後のさらなるユーザー入力を必要とせずに実行される、請求項６３に記載のシステム。
【請求項６６】
デジタルコンテンツが表示されていたか否かに関する情報が前記取り外し可能な媒体に保存される、請求項６３に記載のシステム。
【請求項６７】
前記制御回路が、
前記デジタルコンテンツへの参照をデータベースに保存し、
前記取り外し可能な媒体との通信を確立後、該データベースから該デジタルコンテンツへの該参照を検索することであって、該参照は設定後のユーザーとのさらなる対話を必要とせずに検索される、ことをするようにさらに構成されている、請求項６３に記載のシステム。
【請求項６８】
前記制御回路がさらに、
前記取り外し可能な媒体に保存された設定ファイルに前記デジタルコンテンツへの参照を保存し、
該取り外し可能な媒体との通信を確立後、該設定ファイルから該デジタルコンテンツへの該参照を検索することであって、該参照は、設定後のユーザーとのさらなる対話を必要とせずに検索されることをするようにさらに構成されている、請求項６３に記載のシステム。
【請求項６９】
前記制御回路がさらに、
前記デジタルコンテンツからオーディオを抽出し、
該デジタルコンテンツの該オーディオを前記取り外し可能な媒体へ転送するようにさらに構成されている、請求項６３に記載のシステム。
【請求項７０】
ユーザーによって記録されたデジタルコンテンツを取り外し可能な媒体へ転送するための機械読取り可能な媒体であって、
該ユーザーがデジタルコンテンツを該取り外し可能な媒体へ今後転送するように設定することであって、該ユーザーは、転送されるデジタルコンテンツを選択する、ことを可能にし、
該取り外し可能な媒体との通信を確立し、
設定後、該ユーザーとのさらなる対話を必要とせずに、該デジタルコンテンツを該取り外し可能な媒体へ転送するようにするための、該機械読取り可能な媒体記録された機械読取り可能な命令を備える、機械読取り可能な媒体。
【請求項７１】
前記ユーザーがデジタルコンテンツを取り外し可能な媒体へ今後転送するように設定することを可能にすることが、該ユーザーが、該デジタルコンテンツを該取り外し可能な媒体に転送するための設定を選択することを可能にすることを包含する、請求項７０に記載の機械読取り可能な媒体。
【請求項７２】
前記取り外し可能な媒体が有効な転送先であるかを決定するための、前記機械読取り可能な媒体に記録された機械読取り可能な命令をさらに備え、該決定は、設定後のユーザーのさらなる入力を必要とせずに実行される、請求項７０に記載の機械読取り可能な媒体。
【請求項７３】
前記デジタルコンテンツが表示されていたか否かに関する情報が前記取り外し可能な媒体に保存される、請求項７０に記載の機械読取り可能な媒体。
【請求項７４】
前記デジタルコンテンツへの参照をデータベースに保存し、
前記取り外し可能な媒体との通信を確立後、該データベースから前記デジタルコンテンツへの前記参照を検索するための、前記機械読取り可能な媒体に記録された機械読取り可能な命令をさらに備え、該参照は設定後のユーザーのさらなる入力を必要とせずに検索される、請求項７０に記載の機械読取り可能な媒体。
【請求項７５】
前記取り外し可能な媒体に保存された設定ファイルに前記デジタルコンテンツへの参照を保存し、
該取り外し可能な媒体との通信を確立後、該設定ファイルから該デジタルコンテンツへの該参照を検索するための、前記機械読取り可能な媒体に記録された機械読取り可能な命令をさらに備え、該参照は、設定後のユーザーのさらなる入力を必要とせずに検索される、請求項７０に記載の機械読取り可能な媒体。
【請求項７６】
前記デジタルコンテンツを取り外し可能な媒体へ転送することが、
該デジタルコンテンツからオーディオを抽出することと、
該デジタルコンテンツの該オーディオを該取り外し可能な媒体へ転送することと
を包含する、請求項７０に記載の機械読取り可能な媒体。
【発明の詳細な説明】
【技術分野】
【０００１】
（関連出願の相互参照）
本願は、米国仮特許出願第６０／５０２，９２０号（２００３年９月１５日出願）の利益を主張し、その仮特許出願の全容は、本明細書において参考として援用する。
【０００２】
（発明の背景）
本発明は、インタラクティブ方式のテレビアプリケーションに関し、より具体的には、デジタルコンテンツをエクスポートする機能を備えたインタラクティブ方式のテレビアプリケーションに関する。
【背景技術】
【０００３】
インタラクティブ方式の番組案内のようなインタラクティブ方式のテレビアプリケーションにより、ユーザーは、デジタルコンテンツをセットトップボックスに保管できる（例えば、番組を記録する）。ユーザーは、インタラクティブ方式のテレビアプリケーションを使用して保管したデジタルコンテンツにアクセスする場合がある。しかしながら、場合により、ユーザーは、インタラクティブ方式のテレビアプリケーションから離れて、デジタルコンテンツにアクセスする場合がある（例えば、ランニング中あるいは旅行中）。
【０００４】
場合により、保管されたデジタルコンテンツ（例えば記録した番組）の性質は、ユーザーにとってより興味深いかもしれないオーディオコンテンツのような場合もある。このようなデジタルコンテンツは、例えば、夜のニュースの記録、お笑い番組の記録、スポーツ中継の記録（例えば、サッカー）を含む場合がある。さらに、ユーザーは、インタラクティブ方式のテレビアプリケーションから離れた場所で、このオーディオコンテンツへのアクセスを希望する場合がある。例えば、ユーザーはジョギング中にトークショーのオーディオを聴くことを希望する場合がある。
【０００５】
従って、記録した番組からオーディオを抽出し、抽出したオーディオを取り外し可能な媒体（例えば、ＣＤ−Ｒ）に転送する機能を備えたインタラクティブ型テレビアプリケーションの提供が望ましい場合がある。
【０００６】
また、ユーザーは、デジタルコンテンツ（例えば、記録した番組）を取り外し可能な媒体（例えば、小型フラッシュカード）に転送することを希望する場合もある。例えば、ユーザーは、朝の出勤中に携帯用コンピュータで昨日のニュース放送の視聴を希望する場合がある。インタラクティブ方式のテレビアプリケーションを使用して（つまり、デジタルコンテンツの選択、設定の選択など）、転送を繰り返し設定することがユーザーにとって負担となる場合がある。
【０００７】
従って、デジタルコンテンツを取り外し可能な媒体へ今後転送するように設定されたインタラクティブ方式のテレビアプリケーションを提供することが望ましい場合がある。デジタルコンテンツを取り外し可能な媒体に今後転送するように、ユーザーがテレビアプリケーションを設定した後、ユーザーとの対話をこれ以上必要とせずに、デジタルコンテンツを取り外し可能な媒体に今後転送することが望ましい場合もある。
【発明の開示】
【課題を解決するための手段】
【０００８】
（発明の概要）
インタラクティブ方式のテレビアプリケーションは、本発明に従って提供される場合がある。インタラクティブ方式のテレビアプリケーションにより、ユーザーがデジタルコンテンツをセットトップボックスに保管、あるいは、リモートで（例えば、リモートサーバー）保管されたデジタルコンテンツにアクセスできる場合がある。
【０００９】
本発明の一つの側面では、インタラクティブ方式のテレビアプリケーションは、記録した番組（プログラム）からオーディオを抽出することや抽出したオーディオを取り外し可能な媒体に転送することができる場合がある。
【００１０】
インタラクティブ方式のテレビアプリケーションにより、ユーザーは、オーディオが抽出されるかもしれない記録番組を選択できる場合がある。記録した番組は、例えば、テレビ番組の記録、ライブバッファに保管された番組、現在記録中の番組を含む場合がある。ユーザーが取り外し可能な媒体を選択する場合があり、インタラクティブ方式のテレビアプリケーションが、抽出されたオーディオを選択された取り外し可能な媒体に転送する場合がある。
【００１１】
インタラクティブ方式のテレビアプリケーションにより、ユーザーは、オーディオのフォーマットやオーディオの音質を選択できる場合がある。ユーザーは、オーディオが再生される音楽プレーヤーと互換性のあるオーディオのフォーマットを選択する場合がある。ユーザーは、オーディオの性質に基づいて、オーディオ音質の選択を希望する場合がある。例えば、選択した番組のオーディオが主にスピーチであれば、ユーザーはオーディオの音質を低くする場合がある。選択した番組のオーディオが音楽であれば、ユーザーはオーディオの音質を高くする場合がある。また、オーディオの音質は、抽出したオーディオのサイズにも関連する。したがって、転送先の媒体が小型の容量であれば、ユーザーは抽出したオーディオの音質を低くする場合がある。
【００１２】
場合により、ユーザーは、記録した番組全体からオーディオを抽出するようにインタラクティブアプリケーションに命令する場合がある。その他の場合では、ユーザーは、記録した番組の一部からオーディオを抽出するように命令する場合がある。例えば、ユーザーは、記録した番組のセグメントからオーディオを抽出するために、再生バーに開始と終了のマーカーを設定する場合がある。インタラクティブ方式のテレビアプリケーションにより、ユーザーは、録音の時点でオーディオをプレビューできる場合がある。ユーザーが番組の中のオーディオの場所を示すことができるように、インタラクティブ方式のテレビアプリケーションが再生バーのマーカーを表示する場合がある。ユーザーは、プレビューしたオーディオを基本にして、開始と終了のマーカーを選択する場合がある。
【００１３】
ユーザーがオーディオ抽出の設定を選択した後、インタラクティブ方式のテレビアプリケーションが、インタラクティブ方式のテレビアプリケーションからオーディオを抽出する場合がある。例えば、インタラクティブ方式のテレビアプリケーションは、選択した番組をユーザーにより示されたセグメントに分割する。インタラクティブ方式のテレビアプリケーションは、番組のセグメントを逆多重化して、番組をオーディオファイルとビデオファイルに分割する場合がある。インタラクティブ方式のテレビアプリケーションは、ユーザーのフォーマットと音質設定に従って、結果のオーディオファイルを処理する場合がある。
【００１４】
インタラクティブ方式のテレビアプリケーションは、音楽プレーヤーがオーディオを再生中に、例えば、タイトルやアーティストの情報を表示できるように、ファイルに番組情報を補完する場合がある。番組の情報は、例えば、番組表、番組案内情報、番組放送に組み込まれたメタデータ、ユーザーにより入力された情報から得られる。
【００１５】
インタラクティブ方式のテレビアプリケーションは、選択した取り外し可能な媒体にオーディオファイルを保管する十分な容量があることを検証する場合があり、インタラクティブ方式のテレビアプリケーションは、選択した保管先媒体にオーディオファイルを転送する場合がある。
【００１６】
また、インタラクティブ方式のテレビアプリケーションにより、ユーザーは、番組からのオーディオ録音をスケジュールすることもできる。例えば、ユーザーは番組を選択してから、番組のオーディオ録音のオプションを選択する場合がある（例えば、取り外し可能な媒体、オーディオフォーマット、オーディオ音質など）。番組の放送時、インタラクティブ方式のテレビアプリケーションは、フォーマットや音質の設定に従って、選択した取り外し可能な媒体に番組のオーディオを録音する場合がある。
【００１７】
本発明の別の側面では、デジタルコンテンツが取り外し可能な媒体に今後転送されるようにインタラクティブ方式のテレビアプリケーションが設定される場合もある。デジタルコンテンツが取り外し可能な媒体に今後転送されるように、ユーザーがインタラクティブ方式のテレビアプリケーションを設定した後、ユーザーとの対話をこれ以上必要とせずに今後の転送が発生する場合がある。例えば、ユーザーは、コンパクトフラッシュ（登録商標）カードがセットトップボックス６０に挿入されているときは必ずニュース番組の最新の記録をコンパクトフラッシュ（登録商標）（ＣＦ）カードに転送するように、インタラクティブ方式のテレビアプリケーションを設定する場合がある。例えば、ユーザーは、通勤中の電車で、ニュース番組を携帯用デバイスで視聴するために毎朝コンパクトフラッシュ（登録商標）カードをセットトップボックス６０に挿入し、その日のニュース番組を検索する場合がある。転送は既に設定されているので、ユーザーは毎朝転送の設定を繰り返す動作を負担しない。
【００１８】
取り外し可能な媒体へのデジタルコンテンツの今後の転送を設定するために、インタラクティブ方式のテレビアプリケーションにより、ユーザーは、インタラクティブ方式のテレビアプリケーションを使用して、デジタルコンテンツを識別できる。例えば、ユーザーは夜のニュースの連続記録を選択する場合がある。
【００１９】
さらに、取り外し可能な媒体へのデジタルコンテンツの今後の転送を設定するために、インタラクティブ方式のテレビアプリケーションにより、ユーザーは取り外し可能な媒体の設定を選択できる。設定は、デジタルコンテンツのフォーマットや画質を含む場合がある。場合により、ユーザーは、一定のフォーマットでしかビデオを再生できない携帯用デバイスでデジタルコンテンツを視聴する場合があり、ユーザーが互換性のあるフォーマットを選択する場合がある。場合によっては、ユーザーは取り外し可能な媒体の保管容量を節約する場合があり、ユーザーは最低の画質設定を選択する場合がある。場合によっては、デジタルコンテンツがビデオであれば、ユーザーは、デジタルコンテンツの解像度をデジタルコンテンツが再生されるデバイス（例えば、携帯用ビデオプレーヤー）に特有の解像度に一致するような画質設定（例えば、３２０ｘ２４０）を選択する場合がある。
【００２０】
また、設定は、自動更新デジタルコンテンツの設定（例えば、連続記録）を含む場合がある。例えば、ユーザーは、シリーズの中で最新の記録だけを取り外し可能な媒体に転送するように、インタラクティブ方式のテレビアプリケーションに命令する場合がある。別の例では、ユーザーは、まだ転送されていないシリーズのすべての記録を取り外し可能な媒体へ転送するように、インタラクティブ方式のテレビアプリケーションに命令する場合がある。
【００２１】
また、設定は、取り外し可能な媒体のデジタルコンテンツを更新するための設定を含む場合がある。例えば、ユーザーは、ユーザーが指定した日数よりも以前のデジタルコンテンツだけを削除あるいは上書きするようにインタラクティブ方式のテレビアプリケーションに命令する場合がある。別の例では、ユーザーは、視聴したデジタルコンテンツだけを削除あるいは上書きするようにインタラクティブ方式のテレビアプリケーションに命令する場合がある。
【００２２】
また、インタラクティブ方式のテレビアプリケーションが、デジタルコンテンツが転送されるかもしれない取り外し可能な媒体の種類も決定する場合がある。例えば、デジタルコンテンツは、サイズがかなり小さければ（つまり、デジタルコンテンツが最小の取り外し可能な媒体に入る場合）、すべての取り外し可能な媒体に転送される場合がある。別の例では、かなり大きいデジタルコンテンツは、少なくとも一定の容量の取り外し可能な媒体に制限される場合がある（例えば、４．７ＧＢ）。
【００２３】
インタラクティブ方式のテレビアプリケーションは、選択したデジタルコンテンツへの参照や取り外し可能な媒体へのデジタルコンテンツの転送のために選択した設定を保管する場合がある。いくつかの実施例では、選択したデジタルコンテンツへの参照や選択したデジタルコンテンツを転送するために選択した設定は、データベースに保管される場合がある。いくつかの実施例では、選択したデジタルコンテンツへの参照や選択したデジタルコンテンツを転送するために選択した設定は、取り外し可能な媒体に保管される設定ファイルに保管される場合がある。
【００２４】
デジタルコンテンツが取り外し可能な媒体に今後転送されるように、ユーザーがインタラクティブ方式のテレビアプリケーションを設定した後、今後の転送は、ユーザーとの対話をこれ以上必要とせずに発生する場合がある。デジタルコンテンツの転送を開始するため、インタラクティブ方式のテレビアプリケーションは、取り外し可能な媒体６２との通信を確立する場合がある。例えば、通信は、ユーザーがセットトップボックに取り外し可能な媒体を挿入後に確立される場合がある。別の例では、通信は、無線リンクにより確立される場合がある。例えば、取り外し可能な媒体が、セットトップボックス（あるいは一部）と連結した無線アクセスポイントの近接近に移動する場合がある。
【００２５】
この時点で、インタラクティブ方式のテレビアプリケーションは、取り外し可能な媒体が有効な転送先であるかどうかを決定する場合がある。取り外し可能な媒体が有効な転送先であるかどうかの決定は、ユーザーとの対話をこれ以上必要とせずに発生する場合がある。
【００２６】
いくつかの実施例では、インタラクティブ方式のテレビアプリケーションが、取り外し可能な媒体の設定がデータベースに保管されているかどうかを決定するために、データベースにアクセスする場合がある。例えば、インタラクティブ方式のテレビアプリケーションは、取り外し可能な媒体の識別子を決定して、取り外し可能な媒体の識別子のあるエントリがデータベースに保管されているかどうかをデータベースに確認する場合がある。識別子は、例えば、ボリューム番号や容量を含む場合がある。インタラクティブ方式のテレビアプリケーションは、設定がデータベースに保管されていれば、取り外し可能な媒体が有効な転送先であると決定する場合がある。
【００２７】
いくつかの実施例では、インタラクティブ方式のテレビアプリケーションが取り外し可能な媒体に保管された設定ファイルにアクセスする場合がある。インタラクティブ方式のテレビアプリケーションが設定ファイルに保管された設定を認識すれば、インタラクティブ方式のテレビアプリケーションは取り外し可能な媒体が有効な転送先であると想定する場合がある。
【００２８】
インタラクティブ方式のテレビアプリケーションは、データベースあるいは設定ファイルにアクセスすることにより、デジタルコンテンツへの参照や、取り外し可能な媒体のためのデジタルコンテンツの転送の設定を検索する場合がある。インタラクティブ方式のテレビアプリケーションは、取り外し可能な媒体の設定に従って、参照されたデジタルコンテンツを取り外し可能な媒体へ転送する場合がある。転送は、ユーザーとの対話をこれ以上必要とせずに発生する場合がある。
【００２９】
本発明のさらなる特徴であるその性質とさまざまな利点は、添付の図面および以下の好ましい実施例の詳細説明からさらに明確になる。
【発明を実施するための最良の形態】
【００３０】
本発明の実施例に従い、インタラクティブ方式のテレビアプリケーションシステム１０の説明図が図１に示されている。テレビ番組やデジタル音楽のようなコンテンツは、通信経路１６を使用して、番組発信源１２からテレビ配信施設１４のようなテレビ配信施設に提供される場合がある。番組発信源１２は、テレビや音楽製作会社のようなテレビや音楽番組の適切な発信源の場合がある。
【００３１】
テレビ配信施設１４は、ケーブルシステム電波中継局、衛生テレビ配信施設、テレビ放送施設、その他、テレビや音楽番組をユーザーに配信するための適切な施設の場合がある。典型的に、システム１０には多数のテレビ配信施設１４があるが、図面が複雑にならないように、図１では１つだけが示されている。
【００３２】
通信経路１６は、衛星経路、光ファイバー経路、ケーブル経路、その他の有線あるいは無線通信経路、あるいは、これらの経路の組み合わせの場合がある。
【００３３】
テレビ配信施設１４は、さまざまなユーザー機器デバイス１８に接続されている場合がある。このようなユーザー機器１８は、例えば、ユーザーの家庭に置かれている場合がある。ユーザー機器１８は、ユーザーのテレビ機器２０あるいはユーザーのコンピュータ機器２２を含む場合がある。
【００３４】
ユーザー機器は、テレビや音楽番組、その他の情報をテレビ配信施設１４から通信経路２６、２７、２８のような通信経路を経て受信する場合がある。また、ユーザー機器は、経路２６、２７、２８を経て信号をテレビ配信施設１４に送信する場合がある。経路２６、２７、２８は、ケーブル、その他の有線接続、フリースペース接続（例えば、放送やその他の無線信号）、衛星リンクなどの場合がある。
【００３５】
データ発信源３０は、放送予定時間、タイトル、チャンネル、評価情報（例えば、子どもの視聴を推薦するかの人気度）、タイトルの詳細な説明、ジャンルや分野情報（例えば、スポーツ、ニュース、映画など）、出演俳優の情報、放送時間など、テレビ番組の提供に使用される番組予定表情報のデータベースを含む場合がある。また、データ発信源３０は、広告（例えば、プログラム案内広告やその他のインタラクティブ方式テレビアプリケーションの広告）、スポーツの得点、株価、ニュース、天気などのリアルタイムデータを提供するためにも使用される。データ発信源３０は、図１では個別の欄として描かれているが、図１のデータ発信源３０やその他のシステム構成要素は、１つ以上の場所の機器を使用して提供される場合がある。システム構成要素は、図面が複雑になりすぎないように、図１では単独の欄として描かれている。
【００３６】
データ発信源３０は、経路２６、２７、２８を経て関連付けられたユーザー機器に配信するために、番組予定情報やその他のデータを、通信経路３２を経てテレビ配信施設に提供する場合がある。通信経路３２は、衛星通信経路やその他の無線経路、光ファイバーやその他の有線経路、インターネット通信をサポートする経路、これらの経路の組み合わせなど、適切な任意の通信経路の場合がある。データ発信源３０は、経路３８、通信ネットワーク３４、経路４２を経て、ユーザー機器１８でユーザーに番組予定情報やその他のデータを提供する場合がある。経路４２は、電話線のような有線経路、ケーブル経路、光ファイバー経路、衛星経路、無線経路、これらの経路の組み合わせやその他任意の適切な経路の場合がある。
【００３７】
ユーザーのテレビ機器やパーソナルコンピュータのようなユーザー機器デバイスは、例えば、ユーザーのデジタル音楽など、媒体に番組表や情報を表示するために番組予定情報を使用する場合がある。インタラクティブ方式のテレビアプリケーションあるいはその他の適切なアプリケーションは、このような情報をユーザーの画面に表示するために使用される場合がある。
【００３８】
オンラインの番組案内やその他のインタラクティブ方式のテレビサービスは、サーバー３６のような通信ネットワーク３４に接続されたサーバーを使用して提供される場合がある。サーバー３６は、通信経路３８、通信ネットワーク３４、通信経路４０を経て、データ発信源３０から番組予定情報やその他のデータを受信する場合がある。経路３８と４０は、衛星経路、光ファイバー経路、有線経路などの場合がある。通信ネットワーク３４は、インターネット、公衆交換電話網、パケットベースのネットワークなど、適切な通信ネットワークの場合がある。
【００３９】
ユーザー機器１８は、通信経路４２を経てサーバー３６からオンラインの番組案内情報やその他の情報にアクセスする場合がある。ユーザー機器１８も、通信経路２６、テレビ配信施設１４、通信経路４４を経て、サーバー３６のオンラインの番組案内やその他のサービスにアクセスする場合がある。例えば、ケーブルモデムあるいはその他の適切な機器が、テレビ配信施設１４と通信するユーザー機器１８により使用される場合がある。テレビ配信施設１４は、優先経路、ケーブル経路、光ファイバー経路、衛星経路、このような経路の組み合わせなどの適切な経路４４を経て、通信ネットワーク３４と通信する場合がある。
【００４０】
ユーザーテレビ機器２０やユーザーのコンピュータ機器２２のようなユーザー機器が、同様な配置を使用して、オンラインの番組案内やサーバー３６にアクセスする場合がある。ユーザーテレビ機器２０は、通信経路４６を使用して、または、経路２７、テレビ配信施設１４、経路４４を使用して、オンラインの番組案内やサーバー３６にアクセスする場合がある。ユーザーコンピュータ機器２２は、通信経路４８を使用して、または、経路２８、テレビ配信施設１４、経路４４を使用して、オンラインの番組案内やサーバー３６にアクセスする場合がある。経路４６と４８は、有線経路、ケーブル経路、光ファイバー経路、無線経路、衛星経路、このような経路の組み合わせなどの適切な任意の経路の場合がある。
【００４１】
経路２７あるいは４６のどちらかのユーザーテレビ機器２０にデータを配信するために使用されるデータ配信技法は、配信される情報の種類により異なる場合がある。例えば、テキストやグラフィックは、帯域外変調デバイスを使用して帯域外チャネル上から配信されたり、デジタル帯域内チャネルを使用して配信されたり、チャネルの１つの垂直帰線消去区間線に配信されたりする場合がある。また、ビデオ情報の大部分は１つ以上のデジタルチャネルあるいは経路２７あるいは４６のストリームを使用してより効率的に配信される場合があるが、ビデオ情報もこの方法で配信される場合がある。このようなデジタルチャネルあるいはストリームも、テキストやグラフィックの配信に使用される場合がある。
【００４２】
番組案内アプリケーションの機能やその他のインタラクティブ方式テレビアプリケーションの機能は、サーバー３６やサーバー５６のように通信ネットワーク３４に接続されたその他のサーバーを使用してサポートされる場合がある。インタラクティブ方式のテレビアプリケーションも、サービスプロバイダ５０のような１つ以上のサービスプロバイダのサーバーやその他の適切な機器によりサポートされる。例えば、ホームショッピングサービスは、販売担当、注文受付施設、経理保守施設、インタラクティブ方式のホームショッピング機能をサポートするその他の機器を持つサービスプロバイダ５０のようなサービスプロバイダによりサポートされる場合がある。これらの機能をユーザーに提供するサービスプロバイダにアクセスするために、ユーザー機器を使用して実装されるホームショッピングアプリケーションが使用される場合がある。ユーザー機器は、テレビ配信施設１４や通信経路５２から、または、通信ネットワーク３４と通信経路５４から、サービスプロバイダ５０にアクセスする場合がある。経路５２や５４のような通信経路は、有線経路、ケーブル経路、光ファイバー経路、衛星経路、このような経路の組み合わせなど、任意の適切な経路の場合がある。
【００４３】
インタラクティブ方式のテレビアプリケーションの別の例は、ホームバンキングアプリケーションである。ホームバンキングサービスは、サービスプロバイダ５０のような施設の人員を使用してサポートされる場合がある。ユーザー機器を使用して実装されるインタラクティブ方式のホームバンキングアプリケーションは、テレビ配信施設１４や通信経路５２から、または、通信ネットワーク３４と通信経路５４から、ホームバンキングサービスにアクセスする場合がある。
【００４４】
望ましい場合は、ネットワークベースのビデオレコーダやビデオオンデマンドアプリケーションのようなインタラクティブ方式のテレビアプリケーションは、サーバー５６、サーバー３６、サービスプロバイダ５０の機器を使用してサポートされる。ネットワークベースのビデオレコーダを使用するビデオオンデマンドのコンテンツやビデオ記録の配置は、サーバー５６、サーバー３６、サービスプロバイダ５０に保管される場合があり、ユーザーにより要求されると、ユーザー機器に提供される場合がある。インタラクティブ方式のテレビアプリケーションは、ユーザー機器１８を使用して実装されたパーソナルビデオレコーダ（デジタルビデオレコーダと呼ばれる場合がある）の機能をサポートするために使用される場合がある。パーソナルビデオレコーダ機能をサポートするために使用される場合のある機器の説明には、特殊パーソナルビデオレコーダデバイス、デコーダ内蔵受信デバイス（ＩＲＤ）、内蔵あるいは外付けハードドライブを装備したセットトップボックス、ビデオ記録機能付きパーソナルコンピュータが含まれる。
【００４５】
望ましい場合は、インタラクティブ方式のテレビアプリケーション、ホームショッピングアプリケーション、ホームバンキングアプリケーション、ビデオオンデマンドアプリケーション、ゲームアプリケーション、その他のアプリケーションなどのアプリケーション（例えば、電子メールやチャットに関連するアプリケーションやその他の通信機能など）は、ナビゲーションシェルアプリケーション（つまり、アプリケーションに対応するメニューオプションのあるメニューアプリケーション）によりアクセスする別のアプリケーションとして提供される場合がある。このようなアプリケーションの機能は、組み合わされる場合がある。例えば、ゲーム、ビデオオンデマンドサービス、ホームショッピング、ネットワークベースのビデオ記録機能、パーソナルビデオ記録機能、ナビゲーション機能、番組案内機能、通信機能やその他の適切な機能は、１つのアプリケーション、あるいは、その他の適切な数のアプリケーションを使用して提供される場合がある。
【００４６】
さらに、インタラクティブ方式のテレビアプリケーションである、ホームバンキングアプリケーション、ホームショッピングアプリケーション、ネットワークベースのビデオ記録やパーソナルビデオ記録アプリケーション、ビデオオンデマンドアプリケーション、ゲームアプリケーション、通信アプリケーション、ナビゲーションアプリケーションは、システム１０によりサポートされる場合のあるインタラクティブ方式のテレビアプリケーションの種類のいくつかの説明例に過ぎない。その他のサポートされるかもしれない適切なアプリケーションは、ニュースサービス、ウェブ閲覧やその他のインターネットワービス、インタラクティブ方式の賭けサービス（例えば、競馬などの賭け）を含む。
【００４７】
インタラクティブ方式のテレビシステム１０で使用されるインタラクティブ方式のテレビアプリケーションは、ユーザー機器にローカルで実装される場合がある。また、アプリケーションは、分散方式（例えば、サーバークライアントサーバーアーキテクチャを使用）で実装される場合がある。この場合、クライアントと、テレビ配信施設１４のサーバー５６、サーバー３６のようなサーバーとして、ユーザー機器は少なくとも部分的かつ少なくともいくらかの時間サービスする。あるいは、その他の適切な機器がサーバーとして機能する。また、望まれる場合は、その他の分散アーキテクチャも使用される場合がある。さらに、システム１０のインタラクティブ方式テレビシステム機能のいくつか、あるいはすべては、オペレーティングシステムソフトウェアあるいはミドルウェアソフトウェアを使用して提供される場合がある。このようなオペレーティングシステムソフトウェアやミドルウェアは、アプリケーションレベルのソフトウェアの代わりに、あるいは、組み合わせて使用される場合がある。番組案内、ホームショッピング、ホームバンキング、ビデオオンデマンド、インターネット、通信などに関連するインタラクティブ方式のテレビ機能を実施するために使用される特定の配置に関係なく、これらの機能をサポートするソフトウェは、アプリケーションと呼ばれる場合がある。
【００４８】
セットトップボックス配置を基本とするユーザーのテレビ機器２０の説明が図２に示されている。入力／出力５８は、経路２７や４６のような通信経路に接続されている場合がある。入力／出力機能は、１つ以上の配線あるいは通信経路により提供される場合があるが、図面が複雑にならないように、図２では単独の経路として示されている。テレビ番組やその他の情報は、入力／出力５８を使用して受信する場合がある。ユーザーからのコマンドや要求などその他の情報も入力／出力５８から送信される。
【００４９】
セットトップボックス６０は、希望のアナログテレビチャンネルに調整するためのアナログチューナーを含む場合がある。また、セットトップボックス６０は、デジタルテレビや音楽チャンネルを受信するためのデジタルデコーダ回路も含む場合がある。アナログチャンネルとデジタルチャンネル両方は、望ましければ、一緒に処理される場合がある。複数のチューナーが提供される場合がある（例えば、同時に視聴と記録機能を処理するため）。ボックス６０は、衛星テレビを処理するデコーダ内蔵受信デバイス（ＩＲＤ）の場合がある。望ましければ、ボックス６０は、ケーブル、無線放送、衛星のコンテンツを処理する回路を持つ場合がある。ボックス６０は、記録機能を提供するためにストレージデバイス（例えば、ハードディスクドライブのようなデジタルストレージデバイス）を含む場合がある。また、ボックス６０は、ビデオカセットレコーダ、パーソナルビデオレコーダ、その他のデバイスや保管機能を備えたデバイスなどの記録デバイス６２にも接続されている場合がある。
【００５０】
セットトップボックス６０は、ソフトウェアアプリケーションを実行するために使用されるプロセッサ（例えば、マイクロコントローラやマイクロプロセッサなど）を含む。セットトップボックス６０は、アプリケーションを実行するときに使用されるランダムアクセスメモリなどのメモリを含む場合がある。非揮発性のメモリも使用される場合がある（例えば、起動ルーチンやその他の命令を起動するため）。ボックス６０あるいは記録デバイス６２のハードディスクストレージは、データのバックアップや、ランダムアクセスメモリ手法を使用してはサポートされないその他の大型データベースや保管要件をサポートするために使用される場合がある。
【００５１】
セットトップボックス６０は、リモート制御や無線キーボードと通信するために、赤外線（ＩＲ）やその他の通信回路を持つ場合がある。また、セットトップボックス６０は、専用ボタンやフロントパネルディスプレイも持つ場合がある。フロントパネルディスプレイは、例えば、セットトップボックスが調整されている現在のチャンネルを表示するために使用される場合がある。
【００５２】
セットトップボックス６０は、その他の機器と通信するために、ケーブルモデム、統合デジタル通信網（ＩＳＤＮ）モデム、デジタル加入者線（ＤＳＬ）モデム、電話のモデム、無線モデムなどの通信回路も持つ場合がある。このような通信は、インターネットやその他の適切な通信ネットワークあるいは経路が関与する場合がある。望ましければ、セットトップボックス６０の構成要素は、その他のユーザー機器（例えば、テレビやビデオレコーダ）に統合される場合がある。
【００５３】
セットトップボックス６０は、リモート制御あるいはその他の適切なユーザーインターフェイスを使用して制御される場合がある。開始、停止、記録などのようなビデオレコーダの機能やその他の機能は、セットトップボックス６０により制御される場合がある。
【００５４】
セットトップボックス６０の出力は、ユーザーに表示するためにテレビ６４に提供される場合がある。ビデオを表示するために任意の適切なテレビまたはモニタが使用される場合がある。図２の機器やシステム１０のその他の機器では、さまざまなビデオ項目に関連付けられたオーディオは、典型的には、これらのビデオ項目と一緒に配信されて、一般的には、ビデオが再生されるとユーザーに再生される。
【００５５】
セットトップボックス６０は、１つ以上の取り外し可能な媒体（例えば、取り外し可能な媒体６２）により提供される追加のストレージへのアクセスを持つ場合がある。取り外し可能な媒体は、例えば、光ディスク（例えば、ＤＶＤ−ＲＡＭ、ＤＶＤ−Ｒ、ＤＶＤ−ＲＷ、ＣＤ−Ｒ、ＣＤ−ＲＷ、ＭＤなど）、ソリッドステートメモリ（例えば、Ｃｏｍｐａｃｔ  Ｆｌａｓｈ、Ｓｅｃｕｒｅ  Ｄｉｇｉｔａｌ、Ｍｕｌｔｉｍｅｄｉａ  Ｃａｒｄ、ｘＤ、Ｍｅｍｏｒｙ  ＳｔｉｃｋTM、ＵＳＢフラッシュドライブなど）、磁気記憶（例えば、ＵＳＢハードディスク、ＭｉｃｒｏｄｒｉｖｅTM、ハードディスク、フロッピー（登録商標）ディスク、テープなど）、その他任意の適切な取り外し可能な媒体を含む場合がある。セットトップボックス６０は、取り外し可能な媒体６２からの読み出しや書き込みのための回路を含む場合がある。
【００５６】
いくつかの実施例では、セットトップボックス６０は、取り外し可能な媒体６２が挿入されるかもしれない取り外し可能な媒体のアクセスデバイスに接続される場合がある。例えば、セットトップボックス６０にコンパクトフラッシュ（登録商標）カードを挿入するスロットがなければ、コンパクトフラッシュ（登録商標）カードは、取り外し可能な媒体のアクセスデバイスに挿入される場合がある。
【００５７】
いくつかの実施例では、取り外し可能な媒体６２は、取り外し可能な媒体のアクセスデバイス（例えば、カメラ、携帯用音楽プレーヤー、携帯電話、パーソナルデジタルアシスタント、カムコーダなど）の一部の場合がある。取り外し可能な媒体のアクセスデバイスは、セットトップボックス６０が取り外し可能な媒体６２にアクセスできるように、例えば、ＵＳＢケーブル、シリアルケーブル、ＦｉｒｅＷｉｒｅTMケーブルを使用して、セットトップボックス６０に接続される場合がある。また、取り外し可能な媒体のアクセスデバイスは、クレードルあるいはドックを使用してセットトップボックス６０に接続される場合もある。
【００５８】
いくつかの実施例では、セットトップボックス６０と取り外し可能な媒体６２は、お互いに無線通信するように設定される場合がある。セットトップボックス６０と取り外し可能な媒体６２は、それぞれ、無線通信を実施するための回路を追加で含む場合がある。例えば、取り外し可能な媒体６２をセットトップボックス６０の近接近に移動すると、無線リンクが確立される場合がある。セットトップボックス６０と取り外し可能な媒体６２は、例えば、ＢｌｕｅｔｏｏｔｈTM、Ｗｉ−ＦｉTM、ＷｉＭＡＸTM、その他適切な無線プロトコルなどの無線プロトコルを使用して通信する場合がある。
【００５９】
図２のセットトップボックスの配置は、単なる説明図である。望ましければ、その他の配置を使用する場合がある。例えば、ユーザーテレビ機器は、ＷｅｂＴＶTMボックス、パーソナルコンピュータテレビ（ＰＣ／ＴＶ）、その他の任意の適切なテレビ機器の配置を基本とする場合がある。望ましければ、強化セットトップボックス６０、ＷｅｂＴＶTMボックス、ＰＣ／ＴＶなどのような構成要素の機能が、テレビ、パーソナルコンピュータやその他の適切なデバイスに統合される場合がある。
【００６０】
ユーザーのテレビ機器２０（あるいは適切なユーザーのコンピュータ機器２２）を操作するためのリモート制御７２の説明図が図３に示される。リモート制御７２は、機能キー７４や、キーバッドのキー、電源入／切のキー、一時停止、停止、早送りやまき戻しキーなどのその他のキー７６を持つ場合がある。音量の上下キー７８は、ビデオのオーディオ部分の音量を調節するために使用される場合がある。チャンネル上下キー８０は、テレビチャンネルを変更し仮想チャンネル上のコンテンツにアクセスするために使用することができる。カーソルキー８２は、画面上のメニューのナビゲーションに使用される場合がある。例えば、カーソルキー８２は、画面上のカーソル、インジケータ、インタラクティブ方式のテレビアプリケーションにより画面に表示された特定のオプションあるいはその他の項目を示すハイライト（一般的に、すべてのハイライトあるいはハイライト領域を意味する場合がある）の位置を変えるために使用される場合がある。
【００６１】
ＯＫキー８４（あるいは、その他の実施例では選択あるいは入力キー）は、ユーザーがハイライトした画面上のオプションを選択するために使用される場合がある。
【００６２】
キー７４は、記録を開始する記録キー８６を含む場合がある。メニューボタン８８は、ユーザーの表示画面（例えば、テレビ６４や６８、あるいは、適切なモニタやコンピュータ画面）にメニューを表示するようにインタラクティブ方式のテレビアプリケーションに命令するために使用される場合がある。情報ボタン９０は、情報表示画面を表示するようにインタラクティブテレビアプリケーションを命令するために使用される。ユーザーが、特定の番組表をハイライトして、例えば、情報ボタン９０を選択すると、その番組表に関係する追加の番組予定情報（例えば、番組の要約、出演俳優の情報など）を提供するようにインタラクティブ方式のテレビアプリケーションに命令する場合がある。
【００６３】
ロックボタン９２は、アクセス権限を変更するために使用される場合がある。例えば、親は、インタラクティブ方式のテレビアプリケーションに子どもに見せたくない番組の管理を確立するロックボタン９２あるいは画面上のオプションを使用する場合がある。子どもに見せたくない番組管理の設定は、時間ベースの設定の場合がある（例えば、午後３時から午後５時までのような特定の時間帯に子どもがテレビを視聴しないようにする）。また、子どもに見せたくない番組管理の設定は、評価、チャンネル、番組のタイトルなどを基本に番組をブロックするために使用する場合もある。ロックされたあるいはブロックされた番組は、典型的に、インタラクティブ方式のテレビアプリケーションに適切な個人識別番号（ＰＩＮ）が提供されるまで、視聴不可能である。このＰＩＮが入力されると、インタラクティブ方式のテレビ番組は、ユーザーの機器のロックを解除して、ロックされたコンテンツを許可する。
【００６４】
終了ボタン９４は、インタラクティブ方式のテレビアプリケーションを終了するため、あるいは、インタラクティブ方式のテレビアプリケーションの一部を終了するために使用される場合がある。案内ボタン９６は、インタラクティブ方式のテレビアプリケーションを起動するために使用される場合がある。
【００６５】
図３に示されているキーは、単なる説明に過ぎない。望ましければ、その他のキーやボタンが提供される場合がある。例えば、音楽ボタンはインタラクティブ方式のテレビアプリケーションで音楽にアクセスするために使用される場合がある。編集ボタンは、保管したコンテンツを編集するために使用される場合がある（例えば、コマーシャルを削除する、ビデオの一部を削除するためなど）。英数ボタンは、英数文字を入力するために使用される場合がある。最後あるいは戻るボタンは、インタラクティブ方式のテレビアプリケーションで逆戻りして閲覧するために使用される場合がある（例えば、前のチャンネルや表示画面に戻るためなど）。ヘルプキーは、状況依存の画面上のヘルプなどのようなヘルプ機能を起動するために使用される場合がある。
【００６６】
ユーザー機器２２の説明図は図４に表示されている。図４の配置では、パーソナルコンピュータ９８は、キーボード１００あるいは、トラックボール、マウス、タッチパッド、タッチ画面、音声認識デバイス、図３のリモート制御７２のようなリモート制御など、その他の適切なユーザー入力デバイスを使用して、ユーザーにより制御される場合がある。テレビ番組のようなビデオコンテンツやインタラクティブ方式のテレビアプリケーションの表示画面が、モニタ１０２に表示される場合がある。テレビ番組、ビデオオンデマンドのコンテンツ、ネットワークベースのビデオレコーダから再生されるビデオ記録などその他の情報は、経路２８と４８から（図１）入力／出力１０４を使用して受信する場合がある。また、ユーザーは、入力／出力ライン１０４から、インタラクティブ方式のテレビアプリケーションやシステム１０との対話中に使用されるコマンドやその他の情報を送信する場合がある。
【００６７】
パーソナルコンピュータユニット９８は、アナログとデジタルテレビのチャンネルをデコードするためや、ストリーミングビデオのコンテンツを処理するために、テレビチューナーカードとして、テレビあるいはビデオカードを含む場合がある。望ましければ、複数のビデオカード（例えばチューナーカード）が提供される場合がある。使用されるかもしれないテレビチューナーカードの説明図には、指定のアナログチャンネルに調整するためのアナログテレビチューナーと、パケット化されたデジタルデータストリームから目的のデジタルテレビあるいは音楽チャンネルを除去するためのデジタルデコード回路を含む場合がある。望ましければ、コンピュータユニット９８の任意の適切なカードあるいは構成要素が、入力／出力ライン１０４から配信されたビデオやその他のコンテンツを処理するために使用される場合がある。
【００６８】
パーソナルコンピュータユニット９８は、インタラクティブ方式のテレビアプリケーション、あるいは、インタラクティブ方式のテレビアプリケーションの一部を実行するために、１つ以上のプロセッサ（例えば、マイクロプロセッサ）を含む場合がある。
【００６９】
パーソナルビデオレコーダ配置、あるいは、ネットワークベースのビデオレコーダ配置、あるいは、任意のその他の適切な配置で、インタラクティブ方式のテレビアプリケーションによりビデオ記録機能が提供される場合がある。
【００７０】
パーソナルビデオレコーダ配置において、パーソナルコンピュータユニット９８のストレージは、ビデオやその他のコンテンツを保管するための、ハードドライブ、ＤＶＤ−Ｒドライブ、ＤＶＤ−ＲＷドライブ、ＣＤ−Ｒドライブ、ＣＲ−ＲＷドライブ、あるいはその他の適切なストレージデバイスの場合がある。インタラクティブ方式のテレビアプリケーションやパーソナルコンピュータユニット９８は、パーソナルビデオレコーダの機能を提供するために、このストレージを使用する場合がある。
【００７１】
ネットワークベースのビデオ記録機能は、ユーザー機器１８とネットワーク機器の組み合わせを使用して提供される場合がある。ユーザー機器１８は、例えば、ユーザーテレビ機器２０あるいはユーザーコンピュータ機器２２の場合がある。ネットワーク機器は、例えば、サーバー５６、サーバー３６、図１のサービスプロバイダのようなサービスプロバイダの機器の場合がある。ビデオ記録機能は、テレビ番組やその他のビデオコンテンツのコピーをリモートサーバー（例えば、図１のサーバー５６やサーバー３６）、あるいは、サービスプロバイダ５０のようなサービスプロバイダの機器のようなその他のネットワークベースの機器上に保管することにより、提供される。
【００７２】
ビデオ記録は、ユーザー機器１８で入力されたユーザーのコマンドに対応して実行される場合がある。パーソナルビデオレコーダ配置では、インタラクティブ方式のテレビアプリケーションは、ユーザーコマンドに対応してユーザー機器にローカルでビデオを記録するために使用される場合がある。ネットワークベースのビデオ記録配置では、ユーザーのコマンドに対応して、ビデオを記録するために、あるいは、サーバー３６、５６、サービスプロバイダ５０の機器のようなネットワーク機器で仮想記録を実行するために、インタラクティブ方式のテレビアプリケーションが使用される場合がある。ユーザーコマンドは、図１に示された通信経路からネットワーク機器に提供される場合がある。パーソナルビデオレコーダ配置やネットワークベースのビデオレコーダ配置は、早送り、まき戻し、一時停止、記録などの機能をサポートできる。
【００７３】
ネットワークベースのビデオレコーダ環境で不必要な重複を回避するために、システム１０は、仮想コピーあるいは仮想記録を使用して、ネットワークベースのビデオ記録機能を提供する場合がある。この手法により、各ユーザーは、ネットワーク上にそのユーザーの記録を含む個人領域が提供される場合がある。多人数のユーザーが、ネットワークベースのビデオレコーダの個人領域に記録の一つとしてリストされたビデオコンテンツを持っていたとしても、そのビデオコンテンツはネットワーク機器で１回（あるいは比較的小さい回数）保管される必要があるだけである。
【００７４】
上記のユーザーのテレビ機器やユーザーのコンピュータ機器配置は、単なる説明に過ぎない。より一般的なユーザー機器の実施例の説明は図５に示される。
【００７５】
図５に示されているように、制御回路１０６は、入力／出力１０８に接続される。入力／出力１０８は、図１の経路２６、２７、２８、４２、４６、４８のように１つ以上の通信経路に接続される場合がある。テレビや音楽番組は、入力／出力１０８を経て受信される場合がある（例えば、番組発信源１２、サーバー、サーバー３６のようなその他の機器、サービスプロバイダ５０やテレビ配信施設１４のようなサービスプロバイダから）。インタラクティブ方式のテレビアプリケーションのための番組予定情報は、入力／出力１０８を経て、データ発信源３０から受信される場合がある。また、入力／出力１０８は、その他のインタラクティブ方式のテレビアプリケーションのためのデータ発信源３０により送信された情報を受信するために使用される場合がある。ユーザーは、入力／出力１０８を使用して、コマンド、要求、その他の適切な情報を送信するために制御回路１０６を使用する場合がある。
【００７６】
制御回路１０６は、１つ以上のマイクロプロセッサ、マイクロコントローラ、デジタル信号プロセッサ、プログラム可能ロジックデバイスなどを基本にした処理回路などのような任意の適切な処理回路１１０を基本にする場合がある。メモリ（例えば、ランダムアクセスメモリや読み出し専用メモリ）、ハードドライブ、ＤＶＤドライブ、ＣＤドライブ、任意のその他の適切なメモリやストレージデバイスは、制御回路１０６の一部であるストレージ１１２として提供される場合がある。また、１つ以上のアナログチューナー、１つ以上のＭＰＥＧ−２デコーダあるいはその他のデジタルビデオ回路、その他適切な調整あるいはビデオ回路やこれらの回路の組み合わせのような調整回路は、回路１０６の一部として含まれる場合がある。エンコード回路（例えば、保管のために無線あるいはケーブルアナログ信号をＭＰＥＧ信号に変換する）も提供される場合がある。調整およびエンコード回路は、特定のテレビあるいは音楽チャンネル、あるいはその他の希望のオーディオやビデオコンテンツを受信、表示、再生、記録するために、ユーザー機器により使用される場合がある（例えば、ビデオオンデマンドのコンテンツや要求されたネットワークベースあるいはローカルのビデオレコーダ再生）。テレビ番組やその他のビデオ、さらに、画面上のオプションや情報は、画面１１４に表示される場合がある。画面１１４は、モニタ、テレビ、あるいは、ビジュアルイメージを表示するためのその他任意の適切な機器の場合がある。スピーカー１１６は、テレビの一部として提供される場合、あるいは、単独のユニットの場合がある。画面１１４に表示されるビデオのデジタル音楽やオーディオ構成要素は、スピーカー１１６から再生される場合がある。
【００７７】
ユーザー入力インターフェイス１１８を使用して、ユーザーが制御回路１０６を制御する場合がある。ユーザー入力インターフェイス１１８は、マウス、トラックボール、キーパッド、キーボード、タッチスクリーン、タッチパッド、音声認識インターフェイス、リモート制御などの任意の適切なユーザーインターフェイスの場合がある。
【００７８】
前記のように、追加のストレージは、１つ以上の取り外し可能な媒体（例えば、取り外し可能な媒体１２０）が提供される場合がある。処理回路１１０は、取り外し可能な媒体１２０からの読み出しや書き込みのための回路を含む場合がある。また、処理回路１２０は、取り外し可能な媒体１２０との無線通信を実施するための回路も含む場合がある。
【００７９】
インタラクティブ方式のテレビアプリケーションにより、ユーザーは、ビデオレコーダ、デジタルビデオレコーダ、その他のデバイス、あるいは、ストレージ機能のある装置のような記録装置を使用して番組を記録できる場合がある。また、インタラクティブ方式のテレビアプリケーションにより、ユーザーは、インタラクティブ方式のテレビアプリケーションによりアクセス可能であるリモートサーバーに番組を記録できる場合もある。インタラクティブ方式のテレビアプリケーションを使用する番組の記録機能は、Ｅｌｌｉｓらの米国特許番号６，１４１，４８８や、１９９９年６月１１日に提出されたＥｌｌｉｓらの米国特許申請番号０９／３３２，２４４に詳細に検討されており、それら全体を参照することによりここに組み入れる。
【００８０】
また、インタラクティブ方式のテレビアプリケーションにより、ユーザーは、記録された番組からオーディオ情報を抽出することも出来る場合がある。抽出したオーディオ情報は、記録装置から取り外し可能な媒体（例えば、コンパクトフラッシュ（登録商標）カード）に送信される場合がある。
【００８１】
インタラクティブ方式のテレビアプリケーションは、デジタル権利管理（ＤＲＭ）権利を強制実施するため、あるいはセキュリティ対策として、オーディオの抽出を制限する場合のあることに注意する。例えば、データは、例えば、インタラクティブ方式のテレビアプリケーションが有料番組からオーディオを抽出することを防ぐために、有料番組のように、記録された番組に組み込まれている場合がある。別の例では、放送警告が現在の放送番組といっしょに送信される場合があり、番組が記録された後に番組のアクセスあるいは配信の制限を示す場合がある。例えば、制限は、番組からオーディオを抽出するユーザーの機能の制限を含む場合がある。別の例では、制限は、番組からオーディオが抽出される回数の限定を含む場合がある。別の例では、制限は、抽出したオーディオのフォーマットや音質の制限を含む場合がある。
【００８２】
図６は、本発明に従い、記録された番組からオーディオを抽出する画面の説明図である。画面６００は、例えば、番組表６０５、抽出先リスト６１０、フォーマットのドロップダウンメニュー６１５、品質のドロップダウンメニュー６２０、セグメント選択領域６２５、開始ボタン６３０、取消ボタン６３５を含む場合がある。画面６００は、例えば、リスト、ドロップダウンメニュー、チェックボックス、ボタンなどの共通のグラフィカルユーザーインターフェイスオブジェクトを使用する。しかしながら、これらのオブジェクトは単なる説明に過ぎず、同様なオブジェクトは本発明の範囲を逸脱することなく当業者により使用される場合があることに注意する。例えば、番組表６０５は、各リストをオプションの１つとして持つドロップダウンメニューにより置換される場合がある。
【００８３】
番組表６０５は、セットトップボックス６０に保管された記録番組表、あるいは、セットトップボックス６０からアクセス可能な記録コンテンツを含む場合がある（例えば、リモートサーバー）。図６に示されているように、ユーザーは、いくつかの番組を記録している（例えば、ＣＢＳ  Ｅｖｅｎｉｎｇ  Ｎｅｗｓ、Ｊｅｓｓｉｃａ  Ｓｉｍｐｓｏｎコンサート、映画「Ｔｈｅ  Ｒｏｃｋ」）。これらの番組はセットトップボックス６０にローカルに保管される場合がある。また、セットトップボックス６０からアクセス可能なリモートサーバーに保管される場合がある。
【００８４】
インタラクティブ方式のテレビアプリケーションにより、ユーザーは、番組表領域６０５からライブバッファを選択できる場合がある。インタラクティブ方式のテレビアプリケーションは、ユーザーが現在視聴している番組を記録するためにライブバッファを提供する場合があり、ユーザーはライブバッファでリアルタイムの送信機能を実施する場合がある（例えば、まき戻し、一時停止、早送りなど）。ユーザーがライブバッファに保管されたコンテンツを選択できることにより、ユーザーは、例えば、番組の一部を視聴した後に番組からオーディオのすべてを抽出できる場合がある。
【００８５】
インタラクティブ方式のテレビアプリケーションにより、ユーザーは、番組表領域６０５から現在の記録を選択できる場合がある。現在の記録は、ライブバッファに保管された番組と同様で、どちらもインタラクティブ方式のテレビアプリケーションにより完全に記録されていない。
【００８６】
取り外し可能な媒体のリスト６１０は、抽出したオーディオを転送する場合がある取り外し可能な媒体のリストを含む場合がある。インタラクティブ方式のテレビアプリケーションにより、ユーザーは、取り外し可能な媒体を選択するために、ハイライト領域をナビゲーションできる場合がある。いくつかの実施例では、インタラクティブ方式のテレビアプリケーションは、使用可能な取り外し可能な媒体を自動的に検出する場合がある。例えば、セットトップボックス６０が、ＤＶＤ記録装置を含む、あるいは接続されている場合、取り外し可能な媒体のリスト６１０は、取り外し可能な媒体として、ＤＶＤ−Ｒを選択するオプションを含む場合がある。説明の目的であって制限ではなく、取り外し可能な媒体６２は、ユーザーにより選択された取り外し可能な媒体と想定される。
【００８７】
フォーマットのドロップダウンメニュー６１５は、抽出したオーディオが変換される場合のあるオーディオフォーマットのリストを含む場合がある。ユーザーは、オーディオが再生される音楽プレーヤーと互換性のあるオーディオフォーマットを選択する場合がある（例えば、ＭＰ３プレーヤーで使用するＭＰ３フォーマットを選択する）。オーディオフォーマットは、例えば、ＭＰ３、非圧縮ウェーブ（ＷＡＶ）、Ｗｉｎｄｏｗｓ（登録商標）  Ｍｅｄｉａ  ＡｕｄｉｏTM（ＷＭＡ）、その他の任意の適切なオーディオフォーマットを含む場合がある。選択した取り外し可能な媒体の容量を超えてしまう危険性を減少するために、取り外し可能な媒体６２が小容量の媒体（例えば、ソリッドステートメモリ）であれば、圧縮フォーマット（例えば、ＭＰＥ３、ＷＭＡ）を選択する場合がある。非圧縮フォーマット（例えば、ＷＡＶ）は、取り外し可能な媒体６２が、例えば、ＣＤ−Ｒのような大容量の媒体であれば、より適切な場合がある。
【００８８】
音質のドロップダウンメニュー６２０は、抽出したオーディオの品質のオプションリストを含む場合がある。基本的な音質オプションは、例えば、ＣＤ音質、ステレオ音質、モノ、その他任意の適切な音質オプションを含む場合がある。高度な音質オプションは、例えば、抽出したオーディオを再サンプリングするサンプリングレートの範囲や、選択したオーディオフォーマットに特定のオプション（例えば、ＷＡＶフォーマットのチャネル数）を含む場合がある。
【００８９】
ユーザーは、番組表領域６０５で選択した番組の性質を基本にして、オーディオ音質の設定を選択する場合がある。例えば、選択した番組がニュース解説であれば、高音質の設定は必要ではない。しかしながら、選択した番組が音楽演奏であれば、ユーザーは使用可能な高音質の設定を選択する場合がある。使用可能な高品質は、例えば、取り外し可能な媒体６２の使用可能な機能により制限される場合がある。ユーザーは、取り外し可能な媒体６２の容量を基本にして、音質設定を選択する場合もある。例えば、取り外し可能な媒体６２の容量が小さければ、ユーザーは、取り外し可能な媒体６２に保管されるオーディオコンテンツには音質を低くする場合がある。
【００９０】
セグメント選択領域６２５は、ユーザーが番組のセグメントからオーディオを抽出できるオプションを含む場合がある。例えば、選択した番組が２時間のコンサートであれば、インタラクティブ方式のテレビアプリケーションにより、ユーザーは個別の歌のオーディオを抽出できる場合がある。別の例では、選択した番組がサッカーのゲームであれば、容量を考慮して、インタラクティブ方式のテレビアプリケーションにより、ユーザーは、ゲームの前半と後半のオーディオを抽出できる場合があり、従って、ハーフタイムの間の３０分間の番組を抽出しない。
【００９１】
図６に示されているように、インタラクティブ方式のテレビアプリケーションにより、ユーザーは、抽出するために番組全体（例えば、チェックボックス６４０を選択することによる）、あるいは、抽出するために番組の一部（例えば、チェックボックス６４５を選択することにより）を選択できる場合がある。インタラクティブ方式のテレビアプリケーションは、オーディオを抽出する番組の一部を選択する場合にユーザーを支援する再生バー６６５を表示する場合がある。インタラクティブ方式のテレビアプリケーションにより、ユーザーは、開始マーカー６５０により開始時間を選択でき、終了マーカー６５５により終了時間を選択できる場合がある（これは、デフォルトで、それぞれ、番組の開始と終了時に表示される場合がある）。インタラクティブ方式のテレビアプリケーションによりユーザーは、例えば、リモート制御７２を使用して、開始マーカー６５０と終了マーカー６５５を選択して移動できる場合がある。
【００９２】
いくつかの実施例では、インタラクティブ方式のテレビアプリケーションにより、ユーザーは、複数の開始と終了時間を選択できる場合がある。例えば、インタラクティブ方式のテレビアプリケーションにより、ユーザーは、再生バー６６５のとなりにカーソル６６０を置くことができる場合がある。また、インタラクティブ方式のテレビアプリケーションにより、ユーザーは、再生バー６６５に合わせてカーソル６６０を移動できる場合がある。ユーザーは、例えば、再生バー６６５にカーソル６６０の位置に追加のマーカーを追加するためにリモート制御７２のＯＫボタン８４を選択する場合がある。インタラクティブ方式のテレビアプリケーションは、カーソル６６０の左右のマーカーを確認することにより、追加のマーカーが開始あるいは終了マーカーであるかどうかを決定する場合がある。例えば、カーソル６６０の左側のマーカーが終了マーカーであれば、インタラクティブ方式のテレビアプリケーションは、追加のマーカーは開始マーカーであると決定する場合がある。
【００９３】
インタラクティブ方式のテレビアプリケーションは、ユーザーが以前に追加した開始と終了マーカーを削除できる場合もある。例えば、ユーザーは、リモート制御７２を使用して、開始あるいは終了マーカーを選択する場合がある。ユーザーが、例えば、リモート制御７２の削除ボタンを選択すると、インタラクティブ方式のテレビアプリケーションは、選択したマーカーを削除する場合がある。
【００９４】
インタラクティブ方式のテレビアプリケーションは、開始と終了時間を選択する場合にユーザーを支援するために、ユーザーが番組のオーディオをプレビューできる場合もある。例えば、ユーザーがプレビューボタン６７０を選択すると、インタラクティブ方式のテレビアプリケーションは、マーカー６６０の位置で、番組のオーディオを再生する場合がある。マーカー６６０は、オーディオが再生されると、オーディオの進捗状況を追跡する場合がある。インタラクティブ方式のテレビアプリケーションは、例えば、リモート制御７２のカーソルキー８２を使用して、ユーザーがマーカー６６０の位置を変更できる場合もある。
【００９５】
いくつかの実施例では、マーカー６６０がなく、オーディオは、ユーザーが開始あるいは終了マーカーの位置を変更するたびに、開始あるいは終了の位置からプレビューされる場合がある。例えば、ユーザーは、開始マーカーを特定の歌の開始点に置く場合がある。インタラクティブ方式のテレビアプリケーションは、ユーザーが歌の開始を特定できるようにマーカーを移動する間に、開始マーカーの場所でオーディオを再生する場合がある。
【００９６】
いくつかの実施例では、ユーザーが番組表６０５から不完全な記録（例えば、現在記録された番組、あるいはライブバッファに保管された番組）を選択すれば、まだ使用不可能であることを示すために、まだ記録されていない番組部分が再生バー６６５でグレイの影付きで表示される場合がある。例えば、「Ｆｒｉｅｎｄｓ」がライブバッファに保管されていて、「Ｆｒｉｅｎｄｓ」がまだ１０分残っていれば、インタラクティブ方式のテレビアプリケーションは、再生バー６６５上でライブバッファの最後の１０分間をグレイで表示する場合がある。
【００９７】
いくつかの実施例では、ユーザーが現在記録された番組を選択した場合（例えば、ライブバッファから、あるいは、以前に予定した記録から）、インタラクティブ方式のテレビアプリケーションは、記録からオーディオを抽出する前に記録が完了するまで待機する場合がある。いくつかの実施例では、ユーザーがすでに記録済みである現在記録された番組の一部を選択した場合、インタラクティブ方式のテレビアプリケーションは、記録全体が完了する前に、記録部分からオーディオを抽出する場合がある。
【００９８】
ユーザーが開始ボタン６３０を選択すると、インタラクティブ方式のテレビアプリケーションは、記録した番組からオーディオの抽出を開始する場合がある。いくつかの実施例では、ユーザーが、番組の複数のセグメントからオーディオを抽出することを選択した場合、インタラクティブ方式のテレビアプリケーションは、番組を選択したセグメントに分割する場合がある。インタラクティブ方式のテレビアプリケーションは、記録した番組のオーディオとビデオの構成要素が別のファイルに保管されるなど、記録した番組の各セグメントを逆多重化する場合がある。
【００９９】
いくつかの実施例では、インタラクティブ方式のテレビアプリケーションは、記録した番組全体を逆多重化する場合がある。ユーザーが、番組のセグメントからオーディオを抽出するように選択した場合、インタラクティブ方式のテレビアプリケーションは、オーディオファイルから選択したセグメントをスプライスする場合がある。
【０１００】
いくつかの実施例では、ユーザーが番組の複数のセグメントからオーディオを抽出することを選択した場合、インタラクティブ方式のテレビアプリケーションは、記録した番組で発生する順番で、結果のオーディオファイルを一緒に連結する場合がある。例えば、ユーザーが、サッカーの試合の試合時間のオーディオを抽出するように選択した場合（つまり、ハーフタイムのレポートを除くすべてからオーディオを抽出する）、ユーザーは、２つのオーディオファイルが単独のオーディオファイルとなるように一緒に連結されることを好む場合がある。いくつかの実施例では、オーディオファイルは別のままにする場合がある。例えば、ユーザーがコンサートのセグメントを選択した場合（例えば、歌）、ユーザーは、それぞれの歌を別のオーディオファイルに保管されることを好む場合がある。
【０１０１】
記録した番組を逆多重化するために、インタラクティブ方式のテレビアプリケーションにより使用される方法は、記録された番組が保管されるフォーマットに依存する。例えば、ＭＰＥＧファイルは、オーディオ情報とビデオ情報を別のレイヤーで圧縮する。ＭＰＥＧファイルの逆多重化には、情報のオーディオとビデオレイヤーを分離することが関与する。例えば、インタラクティブ方式のテレビアプリケーションは、ＭＰＥＧファイルを解析してビデオとオーディオ情報に対応するデータパケットを別のファイルに分離する場合がある。
【０１０２】
いくつかの実施例では、記録した番組がリモートサーバーに保管されていれば、インタラクティブ方式のテレビアプリケーションが、記録番組を逆多重化するためにリモートサーバーに要求を送る場合がある。リモートサーバーは、記録番組のオーディオに対応するオーディオファイルをセットトップボックス６０に送信する場合がある。この手法により、リモートサーバーからセットトップボックス６０に転送される情報量が減少する。
【０１０３】
いくつかの実施例では、記録した番組がリモートサーバーに保管されていれば、インタラクティブ方式のテレビアプリケーションが、記録した番組をセットトップボックス６０に転送するようにリモートサーバーに要求を送信する。インタラクティブ方式のテレビアプリケーションは、記録した番組をローカルで逆多重化する場合がある。この手法により、リモートサーバーにより要求される処理量を減少する。
【０１０４】
記録した番組が逆多重化された後、インタラクティブ方式のテレビアプリケーションは、ユーザーにより選択された設定に従い、結果のオーディオファイルを処理する場合がある。例えば、ユーザーは、オーディオがＣＤ音質のＭＰ３ファイルであるように指定する場合がある。インタラクティブ方式のテレビアプリケーションが、ＣＤ音質のサンプリングレート（例えば１２８ｋｂｐｓ）で結果のオーディオファイルをＭＰ３ファイルに変換する場合がある。
【０１０５】
いくつかの実施例では、インタラクティブ方式のテレビアプリケーションが、転換したオーディオファイルに番組情報を補完する場合がある。例えば、ＭＰ３とＷＭＡフォーマットは、音楽プレーヤーにより再生されているオーディオに応じて、音楽プレーヤー上での番組情報（例えば、アーティストやタイトル）の表示をサポートする。番組情報は、番組案内情報、番組表、番組放送に埋め込まれたメタデータから得られる場合がある。いくつかの実施例では、記録した番組の番組情報はユーザーにより入力された場合がある。
【０１０６】
インタラクティブ方式のテレビアプリケーションは、変換したオーディオファイルの合計サイズを決定し、そのファイルのサイズを取り外し可能な媒体６２の使用可能な容量に比較する場合がある。いくつかの実施例では、インタラクティブ方式のテレビアプリケーションは、ダイアログボックスを画面６００にオーバーレイして、変換したオーディオファイルのサイズや取り外し可能な媒体６２で使用可能なスペース量をユーザーに示す場合がある。また、インタラクティブ方式のテレビアプリケーションは、ユーザーが取り外し可能な媒体６２に変換したオーディオファイルの転送を確認することを要求する場合がある。
【０１０７】
取り外し可能な媒体６２に変換したオーディオファイルを保管するために十分な容量がないことをインタラクティブ方式のテレビアプリケーションが決定すれば、インタラクティブ方式のテレビアプリケーションは、上書きするために（可能であれば）取り外し可能な媒体６２に保管されるデジタルコンテンツを選択するオプションをユーザーに提供、あるいは、ユーザーに別の媒体を挿入するように指示する場合がある。いくつかの実施例では、インタラクティブ方式のテレビアプリケーションは、変換したオーディオファイルを保管する容量を空けるために必要な一番古いオーディオファイル、あるいは、取り外し可能な媒体６２に保管された一番短いオーディオファイルを自動的に上書きする場合がある。
【０１０８】
インタラクティブ方式のテレビアプリケーションが、変換したオーディオファイルを保管する取り外し可能な媒体６２に十分な容量があることを決定すれば、インタラクティブ方式のテレビアプリケーションは、変換したオーディオファイルを取り外し可能な媒体６２に転送する場合がある。
【０１０９】
図６に表示されている、オーディオ抽出設定を選択するための画面は、単なる説明図に過ぎない。当業者は、本発明の範囲から逸脱せずに別の手法を使用して、ユーザーがオーディオ抽出設定を選択する場合があることを認識する。例えば、画面６００がない場合、インタラクティブ方式のテレビアプリケーションは、ユーザーがオーディオを抽出するオプションを選択する場合のある一連のオーバーレイを表示する場合がある。ユーザーは、例えば、番組表あるいは再生リストから番組を選択する場合がある。インタラクティブ方式のテレビアプリケーションは、ユーザーが取り外し可能な媒体（例えば取り外し可能な媒体６２）を選択できるオーバーレイを表示する場合がある。ユーザーが取り外し可能な媒体６２を選択すると、インタラクティブ方式のテレビアプリケーションは、オーディオフォーマットと音質オプションを持つ別のオーバーレイを表示する場合がある。ユーザーがフォーマットと音質オプションを選択すると、インタラクティブ方式のテレビアプリケーションは、セグメントの選択オプションを持つ別のオーバーレイを表示する場合がある。ユーザーによりすべての設定が選択されると、インタラクティブ方式のテレビアプリケーションは、番組からオーディオを抽出する場合（例えば、番組を逆多重化）や、選択した設定を使用してオーディオを処理する場合がある。インタラクティブ方式のテレビアプリケーションは、処理したオーディオを取り外し可能な媒体６２に転送する場合がある。
【０１１０】
図７Ａは、本発明に従い、記録した番組からオーディオを抽出するフローの説明図である。
【０１１１】
ステップ７０５では、インタラクティブ方式のテレビアプリケーションにより、ユーザーは、インタラクティブ方式のテレビアプリケーションを使用して番組を記録できる場合がある。番組は、例えば、セットトップボックス６０、デジタルビデオレコーダ、リモートサーバー、ＤＶＤレコーダー、あるいはその他の任意のストレージデバイスに記録される場合がある。
【０１１２】
ステップ７１０では、インタラクティブ方式のテレビアプリケーションにより、ユーザーはオーディオが抽出される抽出源を選択できる場合がある。抽出源は、例えば、記録された番組、現在記録されている番組、ライブバッファに記録されている番組を含む場合がある。
【０１１３】
ステップ７１５では、インタラクティブ方式のテレビアプリケーションにより、ユーザーは、選択した番組からオーディオを抽出するための設定を選択できる場合がある。ステップ７１５は、図７Ｂに詳細が示されている。
【０１１４】
ステップ７３５（図７Ｂ）では、インタラクティブ方式のテレビアプリケーションは、使用可能な取り外し可能な媒体を検出する場合や、利用可能な取り外し可能な媒体のリストを表示する場合がある。ユーザーは、選択した番組から抽出されたオーディオが転送される取り外し可能な媒体を選択する場合がある（例えば、取り外し可能な媒体６２）。
【０１１５】
ステップ７４０と７４５（図７Ｂ）では、インタラクティブ方式のテレビアプリケーションにより、ユーザーは、抽出したオーディオのフォーマットと音質を選択できる場合がある。
【０１１６】
ステップ７５０と７５５（図７Ｂ）では、インタラクティブ方式のテレビアプリケーションにより、ユーザーは、オーディオを抽出するために記録された番組のセグメントを選択できる場合がある。インタラクティブ方式のテレビアプリケーションは、再生バーや開始と終了マーカーを表示する場合がある。インタラクティブ方式のテレビアプリケーションにより、ユーザーは、オーディを抽出する番組のセグメントを示すために、再生バーの開始と終了マーカーを位置づけることができる場合がある。また、インタラクティブ方式のテレビアプリケーションにより、ユーザーは、記録した番組のオーディオをプレビューできる場合がある。例えば、インタラクティブ方式のテレビアプリケーションは、再生されるオーディオでプログラムの場所を示す再生バーのマーカーを表示する場合がある。
【０１１７】
ステップ７２０で、インタラクティブ方式のテレビアプリケーションにより、ユーザーは、選択したプログラムからオーディオを抽出できる場合がある。選択した番組がまだ完了していない記録であれば、インタラクティブ方式のテレビアプリケーションは、オーディオの抽出を実施する前に、記録が完了するまで待機する場合がある。ステップ７２０は、図７Ｃに詳細が示される。
【０１１８】
ステップ７５０で（図７Ｃ）、インタラクティブ方式のテレビアプリケーションは、記録した番組をユーザーにより定義されたセグメントに分割する場合がある。ユーザーが番組全体からオーディオを抽出するように選択すれば、インタラクティブ方式のテレビアプリケーションは番組全体を１つのセグメントとして見なす場合がある。
【０１１９】
ステップ７５５（図７Ｃ）で、インタラクティブ方式のテレビアプリケーションは、選択した番組のセグメントを別のオーディオとビデオファイルに逆多重化する場合がある。いくつかの実施例では、選択した番組をセグメントに分割する代わりに、インタラクティブ方式のテレビアプリケーションは、結果のオーディオファイルをセグメントに分割する前に、選択した番組を逆多重化する場合がある。
【０１２０】
ステップ７６０（図７Ｃ）で、インタラクティブ方式のテレビアプリケーションは、ユーザーにより選択された設定に従い、結果のオーディオファイルを処理する場合がある。例えば、インタラクティブ方式のテレビアプリケーションは、結果のオーディオファイルをＭＰ３フォーマットに変換する場合がある。また、インタラクティブ方式のテレビアプリケーションは、ユーザーの音質設定に従い、ＭＰ３ファイルを再サンプリングする場合がある。
【０１２１】
ステップ７６５（図７Ｃ）では、インタラクティブ方式のテレビアプリケーションは、変換したオーディオファイルに番組情報を補完する場合がある。番組情報は、例えば、番組表、番組案内情報、番組放送に埋め込まれたメタデータから得られる場合がある。いくつかの実施例では、番組情報は、ユーザーにより記録した番組に入力される場合がある。番組情報は、例えば、変換したオーディオファイルを再生しながら、音楽プレーヤーにより表示される場合がある。
【０１２２】
ステップ７７０（図７Ｃ）では、インタラクティブ方式のテレビアプリケーションは、エクスポートしたオーディオを取り外し可能な媒体６２に転送する場合がある。転送の前に、インタラクティブ方式のテレビアプリケーションが取り外し可能な媒体６２にエクスポートしたオーディオを保管する十分な容量があることを検証する場合がある。
【０１２３】
記録した番組からオーディオを抽出することに加えて、インタラクティブ方式のテレビアプリケーションは、まだ放送されていない番組からオーディオを記録する場合もある。この手法では、ユーザーは、番組からオーディオを抽出する前に番組を記録する必要がない。
【０１２４】
図８は、取り外し可能な媒体（例えば、取り外し可能な媒体６２）へのオーディオ情報の録音をスケジュールするための画面の説明図である。表示されているように、画面８００は、番組表領域８０５、プレビュー画面８１０、オプション領域８１５、オーディオ録音オーバーレイ８２０を含む番組表画面である。番組表画面は、米国特許公開番号２００４０１０３４３４のＥｌｌｉｓらに詳細が説明されており、全体を引用することによりここに組み入れる。
【０１２５】
番組表領域８０５は、ある時間対に放送予定である番組のリストを含む場合がある。ユーザーは、例えば、リモート制御７２のカーソルキー８２を使用して、番組表８０５の番組を選択するハイライトリージョンをナビゲーションする場合がある。ユーザーが番組を選択すると、インタラクティブ方式のテレビアプリケーションにより、ユーザーは、オプション領域８１５から番組のオプションを選択できる場合がある。ユーザーが取り外し可能な媒体にオーディオを録音するオプションを選択すると、インタラクティブ方式のテレビアプリケーションは、画面８００にオーディオ録音オーバーレイ８２０を表示する場合がある。また、オーディオ録音オーバーレイ８２０は、例えば、リモート制御７２のボタンを押すことにより、番組情報画面から起動される場合がある。
【０１２６】
オーディオ録音オーバーレイ８２０は、取り外し可能な媒体選択のドロップダウンメニュー８２５、フォーマットのドロップダウンメニュー８３０、音質のドロップダウンメニュー８３５、設定ボタン８４０、取消ボタン８４５を含む場合がある。
【０１２７】
ユーザーは、転送される場合のある選択した番組の録音されたオーディオが使用可能な取り外し可能な媒体を選択するために、取り外し可能な媒体の選択ドロップダウンメニュー８２５を使用する場合がある。インタラクティブ方式のテレビアプリケーションは、使用可能な取り外し可能な媒体を検出する場合や、使用可能な取り外し可能な媒体のエントリをドロップダウンメニュー８２５に表示する場合がある。
【０１２８】
インタラクティブ方式のテレビアプリケーションにより、ユーザーはフォーマットのドロップダウンメニュー８３０からオーディオのフォーマットを選択できる場合がある。フォーマットは、例えば、ＭＰ３、非圧縮ウェーブ（ＷＡＶ）、Ｗｉｎｄｏｗｓ（登録商標）  Ｍｅｄｉａ  Ａｕｄｉｏ（ＷＭＡ）、その他任意の適切なオーディオフォーマットを含む場合がある。
【０１２９】
インタラクティブ方式のテレビアプリケーションにより、ユーザーが音質ドロップダウンメニュー８３５から音質設定を選択できる場合がある。音質設定は、例えば、低音質、中音質、高音質、モノ、ステレオ、ＣＤ音質、その他任意の適切な音質設定を含む場合がある。また、音質設定は、サンプリングレート（例えば、１２８ｋｂｐｓ）の範囲を含む場合がある。
【０１３０】
ユーザーが保存ボタン８４０を選択すると、インタラクティブ方式のテレビアプリケーションは、番組が放送されると、選択した番組のオーディオの録音をスケジュールする場合がある。いくつかの実施例では、オーディオは選択した取り外し可能な媒体の上に直接録音される場合がある。いくつかの実施例では、インタラクティブ方式のテレビアプリケーションは、オーディオをセットトップボックス６０、またはリモートサーバーに録音して、録音が完了すると、録音したオーディオを選択した取り外し可能な媒体（例えば、取り外し可能な媒体６２）に転送する場合がある。ユーザーが取り消しボタン８４５を選択すると、インタラクティブ方式のテレビアプリケーションは画面８００からオーディオ録音オーバーレイ８２０を削除する場合がある。
【０１３１】
本発明の別の側面では、デジタルコンテンツを取り外し可能な媒体に今後転送を実施するようにユーザーがインタラクティブ方式のテレビアプリケーションを設定する場合があり、このような場合、今後の転送はユーザーとの対話をこれ以上必要とせずに発生する。例えば、Ｃｏｍｐａｃｔ  Ｆｌａｓｈ（ＣＦ）カードがセットトップボックス６０に挿入されると必ずカードに新しい番組の最新の録音を転送するように、ユーザーがインタラクティブ方式のテレビアプリケーションを設定する場合がある。ユーザーは、例えば、毎朝Ｃｏｍｐａｃｔ  Ｆｌａｓｈカードをセットトップボックス６０に挿入して、その日のニュース番組を検索して、通勤電車の中で携帯型デバイス（例えば、携帯型コンピュータ、ラップトップ、携帯電話、自動車コンピュータ）でニュース番組を視聴する。転送は既に設定されているので、ユーザーは毎朝転送を繰り返して設定することに伴う煩わしさがない。
【０１３２】
インタラクティブ方式のテレビアプリケーションは、デジタル権利管理（ＤＲＭ）権利を強制実施するため、あるいは、セキュリティ対策として、デジタルコンテンツを取り外し可能な媒体に転送することを制限する場合がある。例えば、有料番組のように、インタラクティブ方式のテレビアプリケーションが有料番組のコピーを防止するために、データがデジタルコンテンツに組み込まれている場合がある。別の例では、無線放送から記録されたデジタルコンテンツは、デジタルコンテンツのアクセスや配信の制限を示す場合のある放送フラッグを含む場合がある。例えば、この制限は、デジタルコンテンツを転送するユーザーの機能を制限する場合がある。別の例では、制限は、デジタルコンテンツが転送される回数を限定する場合がある。別の例では、制限は、デジタルコンテンツが転送される取り外し可能な媒体の種類を制限する場合がある。別の例では、制限はデジタルコンテンツの変換（例えば、トランスコーディング）の設定を制限する場合がある。
【０１３３】
図９は、本発明に従い、デジタルコンテンツを取り外し可能な媒体への今後の転送を実施するようにインタラクティブ方式のテレビアプリケーションを設定するための説明画面である。
【０１３４】
画面９００は、例えば、デジタルコンテンツの選択領域９０５、デジタルコンテンツのリスト領域９１０、フォーマットのドロップダウンメニュー９１５、品質のドロップダウンメニュー９２０、循環デジタルコンテンツ設定のラジオボタン９２５と９２６、更新設定領域９３０、取り外し可能な媒体の選択領域９３５、保存ボタン９４０、取消ボタン９４５を含む場合がある。
【０１３５】
画面９００は、例えば、リスト、ドロップダウンメニュー、チェックボックス、ボタンのような一般的なグラフィカルユーザーインターフェイスを使用する。しかしながら、これらのオブジェクトは単なる説明に過ぎず、本発明の範囲を逸脱することなく、当業者により同様なオブジェクトが使用される場合のあることに注意する。例えば、チェックボックス９６０はラジオボタンにより置換される場合がある。
【０１３６】
デジタルコンテンツ選択領域９０５は、セットトップボックス６０に保管されるあるいはアクセス可能なデジタルコンテンツのリストを含む場合がある。また、デジタルコンテンツの選択領域９０５は、追加ボタン９５０を含む場合がある。デジタルコンテンツは、例えば、記録した番組、録音したオーディオ、番組表および情報、その他任意の適切なデジタルコンテンツを含む場合がある。また、インタラクティブ方式のテレビアプリケーションは、デジタルコンテンツ選択領域９０５に一連の記録をリストする場合もある。ユーザーは、例えば、リモート制御７２を使用して、デジタルコンテンツのリストの１つを選択するハイライトリージョンをナビゲーションする場合がある。ユーザーが追加ボタン９５０を選択すると、インタラクティブ方式のテレビアプリケーションは、選択したデジタルコンテンツのリストをデジタルコンテンツのリスト領域９１０に追加する場合がある。
【０１３７】
デジタルコンテンツリスト領域９１０は、取り外し可能な媒体に転送されるように選択されたデジタルコンテンツのリストを含む場合がある。また、デジタルコンテンツリスト領域９１０は、削除ボタン９５５を含む場合もある。ユーザーは、領域９１０のハイライトリージョンをナビゲーションして、領域９１０に表示されたデジタルコンテンツのリストから１つを選択する場合がある。ユーザーが削除ボタン９５５を選択すると、選択されたデジタルコンテンツのリストは、領域９１０から削除される場合がある。また、ハイライトリージョンの位置は、設定が適用されるデジタルコンテンツのリストを決定する場合がある。インタラクティブ方式のテレビアプリケーションは、各デジタルコンテンツのリストに異なる設定を適用する場合がある。
【０１３８】
フォーマットのドロップダウンメニュー９１５は、取り外し可能な媒体へ転送される前に選択したデジタルコンテンツが変換されるフォーマットのリストを含む場合がある。図９に示されているように、ユーザーは、「ＮＢＣ  Ｅｖｅｎｉｎｇ  Ｎｅｗｓ」の連続記録をＭＰＥＧフォーマットで保存するように選択した。
【０１３９】
ＭＰＥＧフォーマットに加えて、その他のビデオフォーマットは、例えば、ＭＰＥＧ、ＡＶＩ、ＭＯＶ、ＲＭ、ＤＩＶＸ、その他任意の適切なフォーマットを含む場合がある。オーディオフォーマットは、例えば、ＭＰ３、ＷＡＶ、ＷＭＡ、その他任意の適切なフォーマットを含む場合がある。画像フォーマットは、例えば、ＪＰＧ、ＧＩＦ、ＢＭＰ、ＴＩＦＦ、その他任意の適切なフォーマットを含む場合がある。テキストフォーマットは、例えば、ＴＸＴ、ＰＤＦ、ＨＴＭ、その他任意の適切なフォーマットを含む場合がある。
【０１４０】
インタラクティブ方式のテレビアプリケーションにより、ユーザーは、デジタルコンテンツを同じ媒体タイプ（例えば、ビデオ、オーディオなど）のあるフォーマットから別のフォーマットに変換できる場合がある。ユーザーは、保管スペースを節約するフォーマットを選択する場合がある（つまり、ユーザーは、高度の圧縮フォーマットを選択する場合がある）。ユーザーは、デジタルコンテンツのアクセスに使用したデバイスと互換性のあるフォーマットを選択する場合がある。例えば、ユーザーは、ＭＰＥＧファイルだけを再生する携帯用ビデオプレーヤーでビデオを視聴するために、ビデオをＭＰＥＧフォーマットに変換する場合がある。
【０１４１】
いくつかの実施例では、インタラクティブ方式のテレビアプリケーションにより、ユーザーは、ある媒体のタイプのフォーマットから別の媒体のタイプのフォーマットにデジタルコンテンツを変換できる場合がある。例えば、選択したデジタルコンテンツがビデオであれば、インタラクティブ方式のテレビアプリケーションにより、ユーザーはオーディオ形式でデジタルコンテンツを保存できる場合がある。これは、例えば、デジタルコンテンツの性質がユーザーにとってオーディオ部分のほうが興味のあるデジタルコンテンツ（例えば、トークショーや解説）であれば、望ましい。ユーザーがビデオのオーディオフォーマットを選択すれば、インタラクティブ方式のテレビアプリケーションは、結果のオーディオファイルを取り外し可能な媒体に転送する前にビデオを逆多重化する場合がある。
【０１４２】
いくつかの実施例では、ユーザーが、例えば、選択したデジタルコンテンツとして番組表を選択すると、インタラクティブ方式のテレビアプリケーションにより、ユーザーは、例えば、ＰＤＦファイルのようなテキストフォーマットに番組表を保存できる場合がある。ユーザーは、インタラクティブ方式のテレビアプリケーションから離れている間も番組表を閲覧できる場合がある。
【０１４３】
音質のドロップダウンメニュー９２０は、フォーマットのドロップダウンメニュー９１５で選択したフォーマットの音質設定のリストを含む場合がある。図９に示されているように、ユーザーは、インタラクティブ方式のテレビアプリケーションに「ＮＢＣ  Ｅｖｅｎｉｎｇ  Ｎｅｗｓ」の記録を低解像度で取り外し可能な媒体に転送するように命令した。
【０１４４】
低解像度の設定に加えて、ビデオフォーマットの画質設定は、中解像度や高解像度を含む場合がある。また、ビデオフォーマットの画質設定は、低解像度（例えば、３２０ｘ２４０）からビデオの本来の解像度までの解像度範囲を含む場合がある。別の例では、選択したフォーマットがＭＰ３であれば、音質設定はサンプリングレートの範囲を含む場合がある。
【０１４５】
いくつかの実施例では、デジタルコンテンツがビデオであれば、ユーザーは、ビデオが再生されるデバイスに適した解像度を選択することを希望する場合がある。例えば、ユーザーが本来の解像度が１２０ｘ９０のビデオを携帯電話で視聴しようと思っているのであれば、高解像度のビデオ（例えば、１９２０ｘ１０８０解像度）をコンパクトフラッシュ（登録商標）カードに保管することは現実的ではない。従って、ユーザーは、ビデオが再生されるデバイスの本来の解像度までビデオの解像度を下げるような品質設定を選択する場合がある。ビデオの解像度を下げることは、ビデオの品質を最大限にするだけでなく（つまり、ビデオはデバイスの最高の解像度で表示されるので）、取り外し可能な媒体にビデオを保管するために必要なスペース量を削減することになる。
【０１４６】
いくつかの実施例では、品質設定は最高の品質設定も含む場合がある。例えば、ユーザーは、既存のデジタルコンテンツを含む取り外し可能な媒体に転送されるオーディオファイルを選択する場合がある。ユーザーは、高音質設定でオーディオファイルを聴くことを望むが、オーディオファイルは最高の設定で取り外し可能な媒体にコピーするには大きすぎる場合がある（つまり、取り外し可能な媒体の既存のデジタルコンテンツの量に依存する）。
【０１４７】
最高の品質設定を使用して、インタラクティブ方式のテレビアプリケーションがオーディオに可能な限り最高の音質を決定する場合がある。インタラクティブ方式のテレビアプリケーションは、オーディオファイルの転送前に取り外し可能な媒体で使用可能なスペース量を決定する場合がある。インタラクティブ方式のテレビアプリケーションは、品質設定が可能な限り取り外し可能な媒体に適するように、オーディオファイルをトランスコードする場合がある。例えば、インタラクティブ方式のテレビアプリケーションは、オーディオファイルが取り外し可能な媒体に適切であるように、やや低いレートで再サンプリングされる場合があることを決定する場合がある。同様に、ビデオファイルに最高の画質設定が選択されていれば、インタラクティブ方式のテレビアプリケーションは、ビデオファイルを取り外し可能な媒体に転送するために可能な限り高い解像度（あるいは、可能な限り小さい圧縮率）を選択する場合がある。いくつかの実施例では、最高の品質設定の場合、デジタルコンテンツが取り外し可能な媒体の残りの容量のユーザー定義のパーセントを超えて占有しないなど、デジタルコンテンツの品質が制限される場合がある。
【０１４８】
インタラクティブ方式のテレビアプリケーションは、選択したデジタルコンテンツが循環していれば（例えば、連続記録あるいは週間番組表など）であれば、ラジオボタン９２５と９２６を表示する場合がある。インタラクティブ方式のテレビアプリケーションにより、ユーザーは、循環のデジタルコンテンツが転送される方法を選択できる場合がある。
【０１４９】
ユーザーがラジオボタン９２５を選択すると、インタラクティブ方式のテレビアプリケーションは、循環デジタルコンテンツの最新バージョンを取り外し可能な媒体に転送するように設定される場合がある。例えば、インタラクティブ方式のテレビアプリケーションは、毎日、「ＮＢＣ夜のニュース」の一連の記録を実施する場合がある。ユーザーが水曜日に番組を取り外し可能な媒体に転送することを忘れると、ユーザーは古い番組内容の視聴に興味がない場合があるので、木曜日に、インタラクティブ方式のテレビアプリケーションは木曜日の記録だけを転送する場合がある。
【０１５０】
ユーザーがラジオボタン９２６を選択すると、取り外し可能な媒体にまだ転送されていない循環のデジタルコンテンツのすべての記録を転送するようにインタラクティブ方式のテレビアプリケーションが設定される場合がある。例えば、インタラクティブ方式のテレビアプリケーションは、毎日「Ｊｅｏｐａｒｄｙ」の連続記録を実施する場合がある。ユーザーが休暇に行くのであれば、インタラクティブ方式のテレビアプリケーションは、「Ｊｅｏｐａｒｄｙ」の何回分かを記録して、取り外し可能な媒体へ転送しない場合がある。ユーザーが休暇から帰ってくると、インタラクティブ方式のテレビアプリケーションは、ユーザーが休暇で不在だった間に放送された「Ｊｅｏｐａｒｄｙ」の放送分のすべてを転送する場合がある。
【０１５１】
更新設定領域９３０は、取り外し可能な媒体に保管されるデジタルコンテンツを更新するための設定を含む場合がある。例えば、チェックボックス９６０を選択することにより、ユーザーは、ユーザーが指定した日数よりも古いデジタルコンテンツを上書きするように（あるいは削除するように）インタラクティブ方式のテレビアプリケーションに指示する場合がある。
【０１５２】
別の例では、チェックボックス９６５を選択することにより、ユーザーは、ユーザーが一度視聴するとデジタルコンテンツを上書きするように（あるいは削除するように）インタラクティブ方式のテレビアプリケーションに指示する場合がある。デジタルコンテンツが視聴されたかどうかなど、デジタルコンテンツのステータスに関する情報は、取り外し可能な媒体のファイルあるいはレジストリに保管される場合がある。例えば、ユーザーが取り外し可能な媒体に保管されたデジタルコンテンツを携帯用のデバイスから視聴すると、携帯用デバイスは、デジタルコンテンツが視聴されたことを示すために、取り外し可能な媒体に保管されたファイルを更新する場合がある。次にユーザーがセットトップボックス６０との通信で取り外し可能な媒体を設置すると、インタラクティブ方式のテレビアプリケーションはデジタルコンテンツが視聴されたことを決定する場合がある。
【０１５３】
ユーザーが、チェックボックス９６０とチェックボックス９６５のいずれも選択しなければ、インタラクティブ方式のテレビアプリケーションは、選択したデジタルコンテンツが保存としてマークされていると見なす場合がある。従って、インタラクティブ方式のテレビアプリケーションは、ユーザーにより指示されない限り、取り外し可能な媒体に転送された後も選択したデジタルコンテンツを削除または上書きしない場合がある。
【０１５４】
いくつかの実施例では、更新設定は、取り外し可能な媒体に追加のデジタルコンテンツを保管する容量がない場合に限り適用する場合がある。例えば、インタラクティブ方式のテレビアプリケーションは、追加のデジタルコンテンツのためのスペースを作るために、既存のデジタルコンテンツを上書きまたは削除する場合がある。
【０１５５】
いくつかの実施例では、循環のデジタルコンテンツが取り外し可能な媒体への転送に選択されていれば、循環のデジタルコンテンツは、チェックボックス９６０と９６５のユーザーの選択に従い、循環のデジタルコンテンツの古いバージョンを置換する場合がある。例えば、ユーザーがチェックボックス９６５を選択すれば、「ＮＢＣ夜のニュース」の現在の記録は取り外し可能な媒体に保存されているユーザーにより視聴された「ＮＢＣ夜のニュース」の前の記録を上書きする場合がある。
【０１５６】
取り外し可能な媒体の選択領域９３５は、取り外し可能な媒体の保存容量の範囲のリストと既知の取り外し可能な媒体のリストを含む場合がある。ユーザーが取り外し可能な媒体の保管容量の範囲を選択できる目的は、選択した取り外し可能な媒体にデジタルコンテンツを保管する十分な容量があることを確認するためである。
【０１５７】
例えば、高解像度で「Ｔｈｅ  Ｒｏｃｋ」を取り外し可能な媒体に今後の転送を実施するようにユーザーがインタラクティブ方式のテレビアプリケーションを設定する場合、選択した取り外し可能な媒体にはデジタルコンテンツを保管する十分な容量がなければならない。このレイでは、ユーザーは、選択したデジタルコンテンツは容量が１ＧＢを超える取り外し可能な媒体のみに転送されることを示すチェックボックス９７０を選択する場合がある。
【０１５８】
また、ユーザーはチェックボックス９９５を選択して、ドロップダウンメニュー９９７からデジタルコンテンツが転送される場合のある特定の取り外し可能な媒体（例えば、ＤＶＤ−Ｒ）を選択する場合がある。インタラクティブ方式のテレビアプリケーションは、このようなリストを維持するために、既知の取り外し可能な媒体のデータベースを保管する場合がある。いくつかの実施例では、既知の取り外し可能な媒体は識別子により参照される場合がある（例えば、ボリューム番号）。
【０１５９】
ユーザーが画面９００から設定の選択を終了後、ユーザーは、設定を保存するために保存ボタン８４０を選択する場合がある。また、ユーザーは画面９００を終了するために取消ボタン９４５を選択する場合もある。ユーザーが設定を保存すると、インタラクティブ方式のテレビアプリケーションは、設定に従い、デジタルコンテンツを取り外し可能な媒体に今後転送するように設定される場合がある。例えば、次にユーザーが取り外し可能な媒体をセットトップボックス６０に挿入すると（または、取り外し可能な媒体をセットトップボックス６０と通信させると）、インタラクティブ方式のテレビアプリケーションは、ユーザーとの対話をこれ以上必要とせずに、選択したデジタルコンテンツを取り外し可能な媒体に転送する場合がある。
【０１６０】
いくつかの実施例では、インタラクティブ方式のテレビアプリケーションは、デジタルコンテンツが使用可能になったときの品質とフォーマット設定に従い、選択したデジタルコンテンツを処理（例えば、トランスコード）する場合がある。例えば、ユーザーが取り外し可能な媒体に今後転送するデジタルコンテンツを選択すれば、インタラクティブ方式のテレビアプリケーションは、デジタルコンテンツの今後の転送が実施されることを想定して、デジタルコンテンツを直後に処理する場合がある。これにより、インタラクティブ方式のテレビアプリケーションが転送の直前にデジタルコンテンツを処理することを防止するので、ユーザーがデジタルコンテンツの処理を待機する時間を節約する。別の例では、ユーザーが取り外し可能な媒体への今後の転送に循環デジタルコンテンツを選択すれば、インタラクティブ方式のテレビアプリケーションは、循環デジタルコンテンツがインタラクティブ方式のテレビアプリケーションにより記録されるとすぐに処理（例えば、トランスコード）する場合がある。
【０１６１】
図１０は、本発明に従い、デジタルコンテンツを取り外し可能な媒体に転送するためのフローの説明図である。
【０１６２】
ステップ１００５で、インタラクティブ方式のテレビアプリケーションが取り外し可能な媒体へデジタルコンテンツを今後転送するために設定される場合がある。画面９００（図９）は、取り外し可能な媒体にデジタルコンテンツを今後転送するようにインタラクティブ方式のテレビアプリケーションを設定するための説明画面である。図９に示されているように、インタラクティブ方式のテレビアプリケーションにより、ユーザーが取り外し可能な媒体に転送するデジタルコンテンツを選択できる場合がある。また、インタラクティブ方式のテレビアプリケーションにより、ユーザーは転送を実施するための設定を選択できる場合もある。
【０１６３】
ステップ１０１０で、インタラクティブ方式のテレビアプリケーションが選択したデジタルコンテンツへの参照や選択したデジタルコンテンツを転送するために選択した設定を保管する場合がある。
【０１６４】
いくつかの実施例では、選択したデジタルコンテンツへの参照や選択したデジタルコンテンツを転送するために選択した設定は、インタラクティブ方式のテレビアプリケーションによりアクセス可能なデータベースに保管される場合がある。データベースはさまざまな取り外し可能な媒体のさまざまなエントリを含む場合がある。例えば、ユーザーは、５００ＭＢを超える容量を持つすべての取り外し可能な媒体に「シンプソン」を、特定のＤＶＤ−Ｒに「Ｔｈｅ  Ｒｏｃｋ」を転送するように選択する場合がある。ＤＶＤ−Ｒのデータベースエントリは、「シンプソン」と「Ｔｈｅ  Ｒｏｃｋ」の両方が転送されるデジタルコンテンツであることを示す場合がある。一方で、さまざまなデジタルコンテンツが取り外し可能な媒体に転送されると選択されているために、５００ＭＢを超える容量のあるその他の取り外し可能な媒体のためのデータベースエントリは異なる場合がある。
【０１６５】
いくつかの実施例では、デジタルコンテンツへの参照や選択したデジタルコンテンツの転送のために選択した設定は、取り外し可能な媒体（例えば、取り外し可能な媒体６２）に保管された設定ファイルに保管される場合がある。いくつかの実施例では、インタラクティブ方式のテレビアプリケーションは、作成して設定ファイルを取り外し可能な媒体へ転送する場合がある。いくつかの実施例では、取り外し可能な媒体が作成されるための設定時に、インタラクティブ方式のテレビアプリケーションが設定ファイルを取り外し可能な媒体へ転送する場合がある（例えば、ユーザーに取り外し可能な媒体を挿入するように指示することによる）。いくつかの実施例では、インタラクティブ方式のテレビアプリケーションは、次に取り外し可能な媒体がセットトップボックス６０で使用されるときに、設定ファイルを取り外し可能な媒体にコピーする場合がある。
【０１６６】
いくつかの実施例では、設定ファイルは、インタラクティブ方式のテレビアプリケーション以外に、発信源により生成される場合がある。例えば、コンピュータからアクセスできるウェブサイトにより、ユーザーがデジタルコンテンツの今後の転送を実施するための設定を選択できる。ウェブサイトはユーザーの選択を基本にして設定ファイルを作成する場合があり、コンピュータが設定ファイルを取り外し可能な媒体にコピーする場合がある。
【０１６７】
ステップ１０１５で、インタラクティブ方式のテレビアプリケーションが取り外し可能な媒体６２との通信を確立する場合がある。例えば、インタラクティブ方式のテレビアプリケーションは、取り外し可能な媒体６２がセットトップボックス６０またはセットトップボックス６０に連結したデバイスに挿入されると、取り外し可能な媒体６２との通信を確立する場合がある。別の例では、インタラクティブ方式のテレビアプリケーションは、無線のリンクを経て取り外し可能な媒体６２との通信を確立する場合がある。無線のリンクは、取り外し可能な媒体６２が、セットトップボックス６０の一部または連結された無線のアクセスポイントの近接近に移動した場合に作成される。
【０１６８】
ステップ１０２０で、インタラクティブ方式のテレビアプリケーションが取り外し可能な媒体６２が有効な転送先であるかどうかを決定する場合がある。この決定はユーザーとの対話をこれ以上必要とせずに発生する場合がある。インタラクティブ方式のテレビアプリケーションは、デジタルコンテンツを取り外し可能な媒体６２に転送する前に、取り外し可能な媒体６２が有効な転送先であるかどうかを決定する場合がある。
【０１６９】
いくつかの実施例では、インタラクティブ方式のテレビアプリケーションは、取り外し可能な媒体６２の設定がデータベースに保管されているかどうかを決定する前に、上記のデータベースに参照する場合がある。例えば、インタラクティブ方式のテレビアプリケーションは、取り外し可能な媒体６２の識別子を決定して、取り外し可能な媒体６２の識別子を持つエントリがデータベースに保管されているかどうかを確認するためにデータベースをチェックする場合がある。識別子は、例えば、ボリューム番号や容量を含む場合がある。取り外し可能な媒体６２の設定がデータベースに保管されていれば、インタラクティブ方式のテレビアプリケーションが取り外し可能な媒体６２を有効な転送先であると想定する場合がある。
【０１７０】
いくつかの実施例では、インタラクティブ方式のテレビアプリケーションは、取り外し可能な媒体６２が有効な転送先であるかどうかを決定するために、上記の設定ファイルを参照する場合がある。例えば、インタラクティブ方式のテレビアプリケーションが設定ファイルにある取り外し可能な媒体６２の設定を認識すれば、インタラクティブ方式のテレビアプリケーションが取り外し可能な媒体６２を有効な転送先であると想定する場合がある。
【０１７１】
取り外し可能な媒体６２がインタラクティブ方式のテレビアプリケーションにより認識されなければ、インタラクティブ方式のテレビアプリケーションは、取り外し可能な媒体６２が有効な転送先であるかどうかを決定する場合がある。例えば、インタラクティブ方式のテレビアプリケーションは、デジタルコンテンツを保管できるかどうかを決定するために、取り外し可能な媒体６２に小さいファイルの転送を試みる場合がある。また、インタラクティブ方式のテレビアプリケーションは、取り外し可能な媒体６２の使用可能な保管容量を決定するために試みる場合もある。
【０１７２】
インタラクティブ方式のテレビアプリケーションが取り外し可能な媒体６２を有効な転送先であると決定すれば、インタラクティブ方式のテレビアプリケーションは、取り外し可能な媒体６２が次にセットトップボックス６０との通信状態に置かれたとき、有効な転送先として認識する場合がある。いくつかの実施例では、インタラクティブ方式のテレビアプリケーションは、データベースに取り外し可能な媒体６２のエントリを作成する場合がある。いくつかの実施例では、インタラクティブ方式のテレビアプリケーションは、デフォルトの一連の設定を持つ設定ファイルを取り外し可能な媒体６２にコピーする場合がある。
【０１７３】
インタラクティブ方式のテレビアプリケーションが取り外し可能な媒体６２を有効な転送先でないと決定すれば、インタラクティブ方式のテレビアプリケーションがセットトップボックス６０の赤いインジケータ灯を点灯する場合がある。例えば、ユーザーが誤って普通のＣＤをセットトップボックス６０に挿入すると（ＣＤ−ＲまたはＣＤ−ＲＷではなく）、インタラクティブ方式のテレビアプリケーションが普通のＣＤは有効な転送先ではないと決定する場合がある。
【０１７４】
ステップ１０２５で、インタラクティブ方式のテレビアプリケーションが、デジタルコンテンツへの参照や、データベースまたは設定ファイルからの取り外し可能な媒体６２のためのデジタルコンテンツの転送設定を検索する場合がある。この検索は、ユーザーとの対話をこれ以上必要とせずに発生する場合がある。
【０１７５】
いくつかの実施例では、取り外し可能な媒体６２がインタラクティブ方式のテレビアプリケーションにより認識されなければ、インタラクティブ方式のテレビアプリケーションが、デジタルコンテンツへの参照や、取り外し可能な媒体６２の容量と同様な容量のある取り外し可能な媒体のためのデジタルコンテンツの転送設定を検索する場合がある。例えば、ユーザーは、１００ＭＢを超える容量のあるすべての取り外し可能な媒体へ一定のデジタルコンテンツを一定の方法で転送するように、インタラクティブ方式のテレビアプリケーションを設定している場合がある。
【０１７６】
ステップ１０３０で、インタラクティブ方式のテレビアプリケーションは、取り外し可能な媒体６２の設定に従い、参照されたデジタルコンテンツを取り外し可能な媒体６２に転送する場合がある。この転送は、ユーザーとの対話をこれ以上必要とせずに発生する場合がある。
【０１７７】
インタラクティブ方式のテレビアプリケーションは、取り外し可能な媒体６２の設定に従い、参照されたデジタルコンテンツをトランスコードする場合がある。例えば、インタラクティブ方式のテレビアプリケーションが、ビデオを３２０ｘ２４０解像度のＭＰＥＧファイルにトランスコードする場合がある。いくつかの実施例では、インタラクティブ方式のテレビアプリケーションが、参照されたデジタルコンテンツを転送前にトランスコードする場合がある（つまり、デジタルコンテンツの転送に必要な時間を削減するため）。いくつかの実施例では、インタラクティブ方式のテレビアプリケーションは、デジタルコンテンツの転送直前に参照されたデジタルコンテンツをトランスコードする場合がある。
【０１７８】
いくつかの実施例では、取り外し可能な媒体６２が追加のデジタルコンテンツを保管するために既存のデジタルコンテンツを一切上書きあるいは削除できなければ（例えば、設定のため）、インタラクティブ方式のテレビアプリケーションは可能な限りのコンテンツを取り外し可能な媒体６２に転送する場合がある。インタラクティブ方式のテレビアプリケーションは、転送が不完全であることを、例えば、セットトップボックス６０の黄色いインジケータ灯を点灯することにより、ユーザーに示す場合がある。いくつかの実施例では、取り外し可能な媒体６２が追加のデジタルコンテンツを保管するために既存のデジタルコンテンツを一切上書きあるいは削除できなければ、コンテンツを取り外し可能な媒体６２に転送する前に、インタラクティブ方式のテレビアプリケーションがユーザー入力を要求する場合がある（例えば、どの既存のデジタルコンテンツを削除するかを示すため）。
【０１７９】
取り外し可能な媒体６２へのデジタルコンテンツの転送が成功すれば、インタラクティブ方式のテレビアプリケーションは、例えば、セットトップボックス６０の緑のインジケータ灯を点灯する場合がある。
【０１８０】
ステップ１０３５で、転送されたデジタルコンテンツのステータスに関する情報は取り外し可能な媒体６２に保管される場合がある。例えば、デジタルコンテンツが携帯用デバイスによりアクセスされた場合、携帯用デバイスは取り外し可能な媒体６２にあるデジタルコンテンツのステータスに関する情報を保管する場合がある。例えば、携帯用デバイスはデジタルコンテンツが視聴されたことを示す情報を取り外し可能な媒体６２に保管する場合がある。いくつかの実施例では、情報は上記の設定ファイルに保管される場合がある。いくつかの実施例では、インタラクティブ方式のテレビアプリケーションは、取り外し可能な媒体がセットトップボックス６０との通信状態に置かれると、デジタルコンテンツのステータスを含むように、取り外し可能な媒体６２のデータベースエントリを更新する場合がある。
【０１８１】
インタラクティブ方式のテレビアプリケーションによりアクセス可能なリモートサーバー上にデジタルコンテンツが保管されていれば、インタラクティブ方式のテレビアプリケーションは、デジタルコンテンツを処理するためにセットトップボックス６０に転送するように要求をリモートサーバーに送信する場合がある。
【０１８２】
いくつかの実施例では、デジタルコンテンツの今後の転送を実施するようにインタラクティブ方式のテレビアプリケーションをユーザーが設定直後にこの要求が送信される場合がある。インタラクティブ方式のテレビアプリケーションは、リモートサーバーが、デジタルコンテンツが使用可能になるとセットトップボックス６０に自動的に繰り返して転送することを要求する場合がある。この手法により、取り外し可能な媒体６２がセットトップボックス６０との通信状態に置かれるとき、デジタルコンテンツは既にセットトップボックス６０に保管されるので、デジタルコンテンツが取り外し可能な媒体６２に転送されるための時間を減少する場合がある。
【０１８３】
いくつかの実施例では、ユーザーが取り外し可能な媒体６２をセットトップボックス６０との通信状態に置いた後に要求が送信される場合がある。この手法では、ユーザーがデジタルコンテンツの取り外し可能な媒体６２への転送を開始するまで長時間、セットトップボックス６０がデジタルコンテンツを保管する必要がない。従って、デジタルコンテンツが取り外し可能な媒体６２に転送される前に、ディスクスペースがデジタルコンテンツにより不必要に占有されない。
【０１８４】
いくつかの実施例では、ユーザーが、例えば、セットトップボックス６０のボタン（例えば、ワンタッチ転送）をタッチすると発生する、デジタルコンテンツの今後の転送を実施するように、インタラクティブ方式のテレビアプリケーションをユーザーが設定する場合がある。今後のワンタッチ転送を実施するようにインタラクティブ方式のテレビアプリケーションを設定する場合、インタラクティブ方式のテレビアプリケーションにより、ユーザーが転送されるデジタルコンテンツや転送を実施するための設定を選択できる場合がある。
【０１８５】
ユーザーが取り外し可能な媒体６２をセットトップボックス６０との通信状態に置いてワンタッチ転送を起動するたび、インタラクティブ方式のテレビアプリケーションがデジタルコンテンツを取り外し可能な媒体６２に転送する場合がある。この手法は、カスタム化された設定を保管するデータベースまたは設定ファイルの使用を必要とせず、代わりに、デジタルコンテンツや設定はセットトップボックス６０との通信状態に置かれたすべての種類の取り外し可能な媒体で同じである。
【０１８６】
前述は本発明の本質を説明するためのものであり、本発明の範囲と精神を逸脱することなく、当業者はさまざまな変更を実行できる。
【図面の簡単な説明】
【０１８７】
【図１】図１は、本発明に従うインタラクティブ方式のテレビアプリケーションシステムの説明図である。
【図２】図２は、本発明に従うユーザーのテレビ機器の説明図である。
【図３】図３は、本発明に従うリモート制御の説明図である。
【図４】図４は、本発明に従うコンピュータ機器の説明図である。
【図５】図５は、本発明に従うユーザー機器の説明図である。
【図６】図６は、本発明に従い記録した番組からオーディオを抽出するための画面の説明図である。
【図７Ａ】図７Ａは、本発明に従い記録した番組からオーディオを抽出するフローの説明図である。
【図７Ｂ】図７Ｂは、本発明に従い記録した番組からオーディオを抽出する設定を決定するためのフローの説明図である。
【図７Ｃ】図７Ｃは、本発明に従い記録した番組からオーディオを抽出するためのフローの説明図である。
【図８】図８は、本発明に従い、取り外し可能な媒体からのオーディオ記録をスケジュールするための画面の説明図である。
【図９】図９は、本発明に従い、デジタルコンテンツを取り外し可能な媒体に今後転送するようにインタラクティブ方式のテレビアプリケーションを設定する画面の説明図である。
【図１０】図１０は、本発明に従い、デジタルコンテンツを取り外し可能な媒体に転送するためのフローの説明図である。
【図１】
2007506306.tif 000003
【図２】
2007506306.tif 000004
【図３】
2007506306.tif 000005
【図４】
2007506306.tif 000006
【図５】
2007506306.tif 000007
【図６】
2007506306.tif 000008
【図７Ａ】
2007506306.tif 000009
【図７Ｂ】
2007506306.tif 000010
【図７Ｃ】
2007506306.tif 000011
【図８】
2007506306.tif 000012
【図９】
2007506306.tif 000013
【図１０】
2007506306.tif 000014
【国際調査報告】
2007506306.tif 000015
2007506306.tif 000016
2007506306.tif 000017
2007506306.tif 000018
2007506306.tif 000019
2007506306.tif 000020
2007506306.tif 000021